(57)【特許請求の範囲】
【請求項１】
ユーザ機器（ＵＥ）によって行われる、ネットワークと通信する方法であって、前記方法は、
第１のネットワークから、ＰＬＭＮ（ｐｕｂｌｉｃ  ｌａｎｄ  ｍｏｂｉｌｅ  ｎｅｔｗｏｒｋ）リストを受信することと、
前記第１のネットワークから、複数のエントリーを含む情報リストを受信することであって、各エントリーは、ＰＬＭＮ毎のトラフィックステアリングに関連する情報である、ことと、
前記情報リストに基づいて、前記第１のネットワークから第２のネットワークへとトラフィックをステアリングすることと
を含み、
前記第１のネットワークおよび前記第２のネットワークは、互いに異なる無線アクセス技術を使用し、
前記情報リストに含まれる前記複数のエントリーは、前記ＰＬＭＮリスト内の前記ＰＬＭＮと同じ順序でリストされている、方法。
【請求項２】
前記ＰＬＭＮ毎のトラフィックステアリングに関連する情報は、前記第２のネットワークのアイデンティティを含む、請求項１に記載の方法。
【請求項３】
前記第２のネットワークのアイデンティティは、前記第２のネットワークのＳＳＩＤ（ｓｅｒｖｉｃｅ  ｓｅｔ  ｉｄｅｎｔｉｆｉｅｒ）を含む、請求項２に記載の方法。
【請求項４】
前記第２のネットワークのアイデンティティにより提供される前記ＳＳＩＤが、前記第１のネットワークから前記第２のネットワークへとトラフィックをステアリングするために考慮され得る、請求項３に記載の方法。
【請求項５】
前記情報リストは、前記第１のネットワークによって伝送されるシステム情報を介して受信される、請求項１に記載の方法。
【請求項６】
前記情報リストは、前記第１のネットワークによってブロードキャストされる、請求項１に記載の方法。
【請求項７】
ネットワークと通信するユーザ機器（ＵＥ）であって、前記ＵＥは、
無線信号を伝送および受信する無線周波数（ＲＦ）部と、
前記ＲＦ部に結合されたプロセッサと
を備え、
前記プロセッサは、
第１のネットワークから、ＰＬＭＮ（ｐｕｂｌｉｃ  ｌａｎｄ  ｍｏｂｉｌｅ  ｎｅｔｗｏｒｋ）リストを受信することと、
前記第１のネットワークから、複数のエントリーを含む情報リストを受信することであって、各エントリーは、ＰＬＭＮ毎のトラフィックステアリングに関連する情報である、ことと、
前記情報リストに基づいて、前記第１のネットワークから第２のネットワークへとトラフィックをステアリングすることと
を実行するように構成され、
前記第１のネットワークおよび前記第２のネットワークは、互いに異なる無線アクセス技術を使用し、
前記情報リストに含まれる前記複数のエントリーは、前記ＰＬＭＮリスト内の前記ＰＬＭＮと同じ順序でリストされている、ＵＥ。
【請求項８】
前記ＰＬＭＮ毎のトラフィックステアリングに関連する情報は、前記第２のネットワークのアイデンティティを含む、請求項７に記載のＵＥ。
【請求項９】
前記第２のネットワークのアイデンティティは、前記第２のネットワークのＳＳＩＤ（ｓｅｒｖｉｃｅ  ｓｅｔ  ｉｄｅｎｔｉｆｉｅｒ）を含む、請求項８に記載のＵＥ。
【請求項１０】
前記第２のネットワークのアイデンティティにより提供される前記ＳＳＩＤが、前記第１のネットワークから前記第２のネットワークへとトラフィックをステアリングするために考慮され得る、請求項９に記載のＵＥ。
【請求項１１】
前記情報リストは、前記第１のネットワークによって伝送されるシステム情報を介して受信される、請求項７に記載のＵＥ。
【請求項１２】
前記情報リストは、前記第１のネットワークによってブロードキャストされる、請求項７に記載のＵＥ。
【請求項１３】
第１のネットワークによって行われる、ユーザ機器（ＵＥ）と通信する方法であって、前記方法は、
前記ＵＥに、ＰＬＭＮ（ｐｕｂｌｉｃ  ｌａｎｄ  ｍｏｂｉｌｅ  ｎｅｔｗｏｒｋ）リストを伝送することと、
前記ＵＥに、複数のエントリーを含む情報リストを伝送することであって、各エントリーは、ＰＬＭＮ毎のトラフィックステアリングに関連する情報である、ことと
を含み、
前記情報リストに含まれる前記複数のエントリーは、前記ＰＬＭＮリスト内の前記ＰＬＭＮと同じ順序でリストされている、方法。
【請求項１４】
前記ＰＬＭＮ毎のトラフィックステアリングに関連する情報は、第２のネットワークのアイデンティティを含む、請求項１３に記載の方法。
【請求項１５】
前記第２のネットワークのアイデンティティは、前記第２のネットワークのＳＳＩＤ（ｓｅｒｖｉｃｅ  ｓｅｔ  ｉｄｅｎｔｉｆｉｅｒ）を含む、請求項１４に記載の方法。
【請求項１６】
前記第１のネットワークおよび前記第２のネットワークは、互いに異なる無線アクセス技術を使用する、請求項１４に記載の方法。
【請求項１７】
前記情報リストは、システム情報を介して伝送される、請求項１３に記載の方法。
【請求項１８】
前記情報リストは、前記第１のネットワークによってブロードキャストされる、請求項１３に記載の方法。
【請求項１９】
ユーザ機器（ＵＥ）と通信する第１のネットワークであって、前記第１のネットワークは、
無線信号を伝送および受信する無線周波数（ＲＦ）部と、
前記ＲＦ部に結合されたプロセッサと
を備え、
前記プロセッサは、
前記ＵＥに、ＰＬＭＮ（ｐｕｂｌｉｃ  ｌａｎｄ  ｍｏｂｉｌｅ  ｎｅｔｗｏｒｋ）リストを伝送することと、
前記ＵＥに、複数のエントリーを含む情報リストを伝送することであって、各エントリーは、ＰＬＭＮ毎のトラフィックステアリングに関連する情報である、ことと
を実行するように構成され、
前記情報リストに含まれる前記複数のエントリーは、前記ＰＬＭＮリスト内の前記ＰＬＭＮと同じ順序でリストされている、第１のネットワーク。
【請求項２０】
前記ＰＬＭＮ毎のトラフィックステアリングに関連する情報は、第２のネットワークのアイデンティティを含む、請求項１９に記載の第１のネットワーク。
【請求項２１】
前記第２のネットワークのアイデンティティは、前記第２のネットワークのＳＳＩＤ（ｓｅｒｖｉｃｅ  ｓｅｔ  ｉｄｅｎｔｉｆｉｅｒ）を含む、請求項２０に記載の第１のネットワーク。
【請求項２２】
前記第１のネットワークおよび前記第２のネットワークは、互いに異なる無線アクセス技術を使用する、請求項２０に記載の第１のネットワーク。
【請求項２３】
前記情報リストは、システム情報を介して伝送される、請求項１９に記載の第１のネットワーク。
【請求項２４】
前記情報リストは、前記第１のネットワークによってブロードキャストされる、請求項１９に記載の第１のネットワーク。
【発明の詳細な説明】
【技術分野】
【０００１】
本発明は、無線通信に関し、より詳細には、多重アクセスネットワークを介した通信を支援する無線通信システムにおいて行われる通信方法とこれを支援する装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、３ＧＰＰリリース（ｒｅｌｅａｓｅ）８として紹介されている。３ＧＰＰ  ＬＴＥは、下向きリンクにおいてＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、上向きリンクにおいてＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近では、３ＧＰＰ  ＬＴＥの進化である３ＧＰＰ  ＬＴＥ−Ａ（ＬＴＥ−Ａｄｖａｎｃｅｄ）に関する議論が進行中である。
【０００３】
無線通信システムは、複数のアクセスネットワークを介したサービスを端末に提供することを支援することができる。端末は、モバイル無線通信システムのような３ＧＰＰ基盤のアクセスネットワークからサービスの提供を受けることができ、また、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＷＬＡＮ（Ｗｉｒｅｌｅｓｓ  Ｌｏｃａｌ  Ａｒｅａ  Ｎｅｔｗｏｒｋ）のような非−３ＧＰＰ基盤のアクセスネットワークからサービスの提供を受けることができる。
【０００４】
端末は、一般的に３ＧＰＰ基盤のアクセスネットワークと連結を確立してサービスの提供を受けることができる。一方、３ＧＰＰ基盤のアクセスネットワークにトラフィック過負荷が発生する場合、端末が処理しようとするトラフィックを他のアクセスネットワークを介して処理させることがネットワーク全般の効率性を向上させることができる。
【０００５】
端末のトラフィックを他のアクセスネットワークを介して処理させるために、端末が当該アクセスネットワークに接近して通信を行うことができるように支援する通信方法が提案されることが求められる。
【発明の概要】
【発明が解決しようとする課題】
【０００６】
本発明が解決しようとする技術的課題は、多重アクセスネットワークを支援する無線通信システムにおける通信方法とこれを支援する装置を提供することである。
【課題を解決するための手段】
【０００７】
一態様において、多重アクセスネットワークを支援する無線通信システムにおいて端末により行われる通信方法が提供される。前記方法は、第１のアクセスネットワークから第２のアクセスネットワークサービス情報を受信し、前記第２のアクセスネットワークサービス情報に基づいて第２のアクセスネットワークを介したトラフィック処理の許容可否を判断し、及び前記第２のアクセスネットワークを介したトラフィック処理が許容されれば、前記第２のアクセスネットワークを介して前記第１のアクセスネットワーク上のトラフィックの全部または一部を処理することを含む。
【０００８】
前記第２のアクセスネットワークサービス情報は、識別子リストを含むことができる。前記識別子リストは、トラフィック処理が許容される少なくとも１つの第２のアクセスネットワークエンティティーの識別子を含むことができる。
【０００９】
前記第２のアクセスネットワークを介したトラフィック処理の許容可否を判断することは、第２のアクセスネットワークエンティティーを探索し、及び前記探索により発見された前記第２のアクセスネットワークエンティティーの識別子が前記識別子リストに含まれていると、前記第２のアクセスネットワークを介したトラフィック処理が許容されることと決定することを含むことができる。
【００１０】
前記第２のアクセスネットワークサービス情報は、前記第２のアクセスネットワークサービス情報の有効性基準を指示する有効性情報を含むことができる。前記方法は、前記有効性情報に基づいて前記第２のアクセスネットワークサービス情報の有効可否を判断することをさらに含むことができる。前記第２のアクセスネットワークを介したトラフィック処理の許容可否を判断することは、前記第２のアクセスネットワークサービス情報が有効であれば行われ得る。
【００１１】
前記有効性情報は、前記有効性基準として有効持続時間を指示することができる。前記有効可否を判断することは、判断時点が前記有効持続時間内であれば、前記第２のアクセスネットワークサービス情報が有効であることと判断することを含むことができる。
【００１２】
前記有効性情報は、前記有効性基準で有効領域を指示することができる。前記有効可否を判断することは、前記端末が前記有効性情報により指示される前記有効領域内にあれば、前記第２のアクセスネットワークサービス情報が有効であることと判断することを含むことができる。
【００１３】
前記有効性情報は、前記有効領域として地理的領域を指示することができる。
【００１４】
前記有効性情報は、前記有効領域として前記第２のアクセスネットワークサービス情報が有効であるセルリストを含むことができる。
【００１５】
前記有効性情報は、前記有効領域として前記第２のアクセスネットワークサービス情報が有効であるＰＬＭＮ（Ｐｕｂｌｉｃ  Ｌａｎｄ  Ｍｏｂｉｌｅ  Ｎｅｔｗｏｒｋ）リストを含むことができる。
【００１６】
前記方法は、前記第２のアクセスネットワークを介したトラフィック処理が許容されないと、前記第１のアクセスネットワークを介して前記トラフィックを処理することをさらに含むことができる。
【００１７】
前記第１のアクセスネットワークは、３ＧＰＰ（３ｒｄ  Ｇｅｎｅｒａｔｉｏｎ  Ｐａｒｔｎｅｒｓｈｉｐ  Ｐｒｏｊｅｃｔ）基盤のアクセスネットワークでありうる。前記第２のアクセスネットワークは、ＷＬＡＮ（Ｗｉｒｅｌｅｓｓ  Ｌｏｃａｌ  Ａｒｅａ  Ｎｅｔｗｏｒｋ）基盤のアクセスネットワークでありうる。
【００１８】
前記第２のアクセスネットワークサービス情報は、前記第１のアクセスネットワークからブロードキャストされるシステム情報に含まれて伝送されることができる。
【００１９】
前記第２のアクセスネットワークサービス情報は、前記第１のアクセスネットワークから伝送されるＲＲＣ（Ｒａｄｉｏ  Ｒｅｓｏｕｒｃｅ  Ｃｏｎｔｒｏｌ）メッセージに含まれて伝送されることができる。
【００２０】
前記第２のアクセスネットワークを介して前記第１のアクセスネットワーク上のトラフィックの全部または一部を処理することは、前記第２のアクセスネットワークと認証（ａｕｔｈｅｎｔｉｃａｔｉｏｎ）及び結合（ａｓｓｏｃｉａｔｉｏｎ）手順を行い、及び前記トラフィックと関連したデータフレームを前記第２のアクセスネットワークに伝送することを含むことができる。
【００２１】
他の態様において、無線通信システムで動作する無線装置が提供される。前記無線装置は、第１のアクセスネットワーク信号を送受信する第１のＲＦ部と、第２のアクセスネットワーク信号を送受信する第２のＲＦ部と、前記第１のＲＦ部及び前記第２のＲＦ部と機能的に結合されて動作するプロセッサとを備える。前記プロセッサは、第１のアクセスネットワークから第２のアクセスネットワークサービス情報を受信し、前記第２のアクセスネットワークサービス情報に基づいて第２のアクセスネットワークを介したトラフィック処理の許容可否を判断し、及び前記第２のアクセスネットワークを介したトラフィック処理が許容されれば、前記第２のアクセスネットワークを介して前記第１のアクセスネットワーク上のトラフィックの全部または一部を処理するように設定される。
本願明細書は、例えば、以下の項目も提供する。
（項目１）
多重アクセスネットワークを支援する無線通信システムにおいて端末により行われる通信方法であって、
前記方法は、
第１のアクセスネットワークから第２のアクセスネットワークサービス情報を受信し、
前記第２のアクセスネットワークサービス情報に基づいて第２のアクセスネットワークを介したトラフィック処理の許容可否を判断し、及び
前記第２のアクセスネットワークを介したトラフィック処理が許容されれば、前記第２のアクセスネットワークを介して前記第１のアクセスネットワーク上のトラフィックの全部または一部を処理することを含むことを特徴とする通信方法。
（項目２）
前記第２のアクセスネットワークサービス情報は、識別子リストを含み、
前記識別子リストは、トラフィック処理が許容される少なくとも１つの第２のアクセスネットワークエンティティーの識別子を含むことを特徴とする項目１に記載の通信方法。
（項目３）
前記第２のアクセスネットワークを介したトラフィック処理の許容可否を判断することは、
第２のアクセスネットワークエンティティーを探索し、及び
前記探索により発見された前記第２のアクセスネットワークエンティティーの識別子が前記識別子リストに含まれていると、前記第２のアクセスネットワークを介したトラフィック処理が許容されることと決定することを含むことを特徴とする項目２に記載の通信方法。
（項目４）
前記第２のアクセスネットワークサービス情報は、前記第２のアクセスネットワークサービス情報の有効性基準を指示する有効性情報を含み、
前記方法は、前記有効性情報に基づいて前記第２のアクセスネットワークサービス情報の有効可否を判断することをさらに含み、
前記第２のアクセスネットワークを介したトラフィック処理の許容可否を判断することは、前記第２のアクセスネットワークサービス情報が有効であれば行われることを特徴とする項目１に記載の通信方法。
（項目５）
前記有効性情報は、前記有効性基準として有効持続時間を指示し、
前記有効可否を判断することは、判断時点が前記有効持続時間内であれば、前記第２のアクセスネットワークサービス情報が有効であることと判断することを含むことを特徴とする項目４に記載の通信方法。
（項目６）
前記有効性情報は、前記有効性基準として有効領域を指示し、
前記有効可否を判断することは、前記端末が前記有効性情報により指示される前記有効領域内にあれば、前記第２のアクセスネットワークサービス情報が有効であることと判断することを含むことを特徴とする項目４に記載の通信方法。
（項目７）
前記有効性情報は、前記有効領域として地理的領域を指示することを特徴とする項目６に記載の通信方法。
（項目８）
前記有効性情報は、前記有効領域として前記第２のアクセスネットワークサービス情報が有効であるセルリストを含むことを特徴とする項目６に記載の通信方法。
（項目９）
前記有効性情報は、前記有効領域として前記第２のアクセスネットワークサービス情報が有効であるＰＬＭＮ（Ｐｕｂｌｉｃ  Ｌａｎｄ  Ｍｏｂｉｌｅ  Ｎｅｔｗｏｒｋ）リストを含むことを特徴とする項目６に記載の通信方法。
（項目１０）
前記方法は、
前記第２のアクセスネットワークを介したトラフィック処理が許容されないと、前記第１のアクセスネットワークを介して前記トラフィックを処理することをさらに含むことを特徴とする項目１に記載の通信方法。
（項目１１）
前記第１のアクセスネットワークは、３ＧＰＰ（３ｒｄ  Ｇｅｎｅｒａｔｉｏｎ  Ｐａｒｔｎｅｒｓｈｉｐ  Ｐｒｏｊｅｃｔ）基盤のアクセスネットワークであり、及び
前記第２のアクセスネットワークは、ＷＬＡＮ（Ｗｉｒｅｌｅｓｓ  Ｌｏｃａｌ  Ａｒｅａ  Ｎｅｔｗｏｒｋ）基盤のアクセスネットワークであることを特徴とする項目１に記載の通信方法。
（項目１２）
前記第２のアクセスネットワークサービス情報は、前記第１のアクセスネットワークからブロードキャストされるシステム情報に含まれて伝送されることを特徴とする項目１１に記載の通信方法。
（項目１３）
前記第２のアクセスネットワークサービス情報は、前記第１のアクセスネットワークから伝送されるＲＲＣ（Ｒａｄｉｏ  Ｒｅｓｏｕｒｃｅ  Ｃｏｎｔｒｏｌ）メッセージに含まれて伝送されることを特徴とする項目１１に記載の通信方法。
（項目１４）
前記第２のアクセスネットワークを介して前記第１のアクセスネットワーク上のトラフィックの全部または一部を処理することは、
前記第２のアクセスネットワークと認証（ａｕｔｈｅｎｔｉｃａｔｉｏｎ）及び結合（ａｓｓｏｃｉａｔｉｏｎ）手順を行い、及び
前記トラフィックと関連したデータフレームを前記第２のアクセスネットワークに伝送することを含むことを特徴とする項目１１に記載の通信方法。
（項目１５）
無線通信システムで動作する無線装置であって、
前記無線装置は、
第１のアクセスネットワーク信号を送受信する第１のＲＦ部と、
第２のアクセスネットワーク信号を送受信する第２のＲＦ部と、
前記第１のＲＦ部及び前記第２のＲＦ部と機能的に結合されて動作するプロセッサと、
を備え、
前記プロセッサは、
第１のアクセスネットワークから第２のアクセスネットワークサービス情報を受信し、
前記第２のアクセスネットワークサービス情報に基づいて第２のアクセスネットワークを介したトラフィック処理の許容可否を判断し、及び
前記第２のアクセスネットワークを介したトラフィック処理が許容されれば、前記第２のアクセスネットワークを介して前記第１のアクセスネットワーク上のトラフィックの全部または一部を処理するように設定されることを特徴とする無線装置。
【発明の効果】
【００２２】
３ＧＰＰアクセスネットワークは、端末が他のアクセスネットワークに接近して通信を行うことができるようにサービス情報を提供する。端末は、サービス情報を介して他のアクセスネットワークを探索して接近することができる。これにより、端末の不要な非−３ＧＰＰアクセスネットワークに探索及び接近試図が回避されて、端末の不要な電力消費が防止され得る。端末のトラフィックの一部及び／又は全部が他のアクセスネットワークを介して処理されることができ、トラフィック処理の効率性が向上し得るし、３ＧＰＰ基盤のアクセスネットワークの過負荷現象が緩和され得る。これは、当該トラフィックに対するＱｏＳが低下することを防止することができる。
【図面の簡単な説明】
【００２３】
【図１】図１は、本発明が適用される無線通信システムを示す。
【図２】図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示したブロック図である。
【図３】図３は、制御平面（ｃｏｎｔｒｏｌ  ｐｌａｎｅ）に対する無線プロトコル構造を示したブロック図である。
【図４】図４は、ＲＲＣアイドル状態の端末の動作を示すフローチャートである。
【図５】図５は、ＲＲＣ連結を確立する過程を示したフローチャートである。
【図６】図６は、ＲＲＣ連結再設定過程を示したフローチャートである。
【図７】図７は、ハンドオーバー過程を示したフローチャートである。
【図８】図８は、ＲＲＣ連結再確立手順を示す図である。
【図９】図９は、３ＧＰＰアクセスネットワーク及びＷＬＡＮアクセスネットワークが共存する環境の例示を示す図である。
【図１０】図１０は、本発明の実施形態に係る通信方法を示すフローチャートである。
【図１１】図１１は、本発明の実施形態に係る通信方法の一例を示す図である。
【図１２】図１２は、本発明の実施形態に係る通信方法の他の一例を示す図である。
【図１３】図１３は、本発明の実施形態に係る通信方法のさらに他の一例を示す図である。
【図１４】図１４は、本発明の実施形態に係る通信方法のさらに他の実施形態を示す図である。
【図１５】図１５は、本発明の実施形態が実現され得る無線装置を示すブロック図である。
【発明を実施するための形態】
【００２４】
図１は、本発明が適用される無線通信システムを示す。これは、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）またはＬＴＥ（Ｌｏｎｇ  Ｔｅｒｍ  Ｅｖｏｌｕｔｉｏｎ）／ＬＴＥ−Ａシステムとも呼ばれることができる。
【００２５】
Ｅ−ＵＴＲＡＮは、端末（１０；Ｕｓｅｒ  Ｅｑｕｉｐｍｅｎｔ、ＵＥ）に制御平面（ｃｏｎｔｒｏｌ  ｐｌａｎｅ）とユーザ平面（ｕｓｅｒ  ｐｌａｎｅ）とを提供する基地局（２０；Ｂａｓｅ  Ｓｔａｔｉｏｎ、ＢＳ）を含む。端末１０は、固定されるか、移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語として呼ばれることができる。基地局２０は、端末１０と通信する固定された地点（ｆｉｘｅｄ  ｓｔａｔｉｏｎ）をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語として呼ばれることができる。
【００２６】
基地局２０等は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ、３０）、より詳細には、Ｓ１−ＭＭＥを介して、ＭＭＥ（Ｍｏｂｉｌｉｔｙ  Ｍａｎａｇｅｍｅｎｔ  Ｅｎｔｉｔｙ）とＳ１−Ｕを介してＳ−ＧＷ（Ｓｅｒｖｉｎｇ  Ｇａｔｅｗａｙ）と連結される。
【００２７】
ＥＰＣ３０は、ＭＭＥ、Ｓ−ＧＷ、及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に関する情報を有しており、このような情報は、端末の移動性管理に主に使用される。Ｓ−ＧＷは、Ｅ−ＵＴＲＡＮを終端点として有するゲートウェイであり、Ｐ−ＧＷは、ＰＤＮを終端点として有するゲートウェイである。
【００２８】
端末とネットワークとの間の無線インターフェースプロトコル（Ｒａｄｉｏ  Ｉｎｔｅｒｆａｃｅ  Ｐｒｏｔｏｃｏｌ）の階層は、通信システムにおいて広く知られた開放型システム間の相互接続（Ｏｐｅｎ  Ｓｙｓｔｅｍ  Ｉｎｔｅｒｃｏｎｎｅｃｔｉｏｎ；ＯＳＩ）基準モデルの下位３個の階層に基づいて、Ｌ１（第１の階層）、Ｌ２（第２の階層）、Ｌ３（第３の階層）に区分されることができるが、この中で、第１の階層に属する物理階層は、物理チャネル（Ｐｈｙｓｉｃａｌ  Ｃｈａｎｎｅｌ）を利用した情報伝送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線資源を制御する役割を果たす。このために、ＲＲＣ階層は、端末と基地局との間のＲＲＣメッセージを交換する。
【００２９】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示したブロック図である。図３は、制御平面（ｃｏｎｔｒｏｌ  ｐｌａｎｅ）に対する無線プロトコル構造を示したブロック図である。ユーザ平面は、ユーザデータ伝送のためのプロトコルスタック（ｐｒｏｔｏｃｏｌ  ｓｔａｃｋ）であり、制御平面は、制御信号伝送のためのプロトコルスタックである。
【００３０】
図２及び３に示すように、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を利用して上位階層に情報伝送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とは伝送チャネル（ｔｒａｎｓｐｏｒｔ  ｃｈａｎｎｅｌ）を介して連結されている。伝送チャネルを介してＭＡＣ階層と物理階層との間にデータが移動する。伝送チャネルは、無線インターフェースを介してデータがどのように、どのような特徴で伝送されるかによって分類される。
【００３１】
互いに異なる物理階層間、すなわち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線資源として活用する。
【００３２】
ＭＡＣ階層の機能は、論理チャネルと伝送チャネルとの間のマッピング及び論理チャネルに属するＭＡＣ  ＳＤＵ（ｓｅｒｖｉｃｅ  ｄａｔａ  ｕｎｉｔ）の伝送チャネル上に物理チャネルで提供される伝送ブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００３３】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）、及び再結合（ｒｅａｓｓｅｍｂｌｙ）を含む。無線ベアラ（Ｒａｄｉｏ  Ｂｅａｒｅｒ；ＲＢ）が要求する様々なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）、及び確認モード（Ａｃｋｎｏｗｌｅｄｇｅｄ  Ｍｏｄｅ、ＡＭ）の３つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００３４】
ＲＲＣ（Ｒａｄｉｏ  Ｒｅｓｏｕｒｃｅ  Ｃｏｎｔｒｏｌ）階層は、制御平面のみで定義される。ＲＲＣ階層は、無線ベアラ等の設定（ｃｏｎｆｉｇｕｒａｔｉｏｎ）、再設定（ｒｅ−ｃｏｎｆｉｇｕｒａｔｉｏｎ）、及び解除（ｒｅｌｅａｓｅ）と関連して、論理チャネル、伝送チャネル、及び物理チャネル等の制御を担当する。ＲＢは、端末とネットワークとの間のデータ伝達のために、第１の階層（ＰＨＹ階層）及び第２の階層（ＭＡＣ階層、ＲＬＣ階層、ＰＤＣＰ階層）によって提供される論理的経路を意味する。
【００３５】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）、及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性保証（ｉｎｔｅｇｒｉｔｙ  ｐｒｏｔｅｃｔｉｏｎ）を含む。
【００３６】
ＲＢが設定されるとは、特定サービスを提供するために無線プロトコル階層及びチャネルの特性を規定し、それぞれの具体的なパラメータ及び動作方法を設定する過程を意味する。ＲＢはさらに、ＳＲＢ（Ｓｉｇｎａｌｉｎｇ  ＲＢ）とＤＲＢ（Ｄａｔａ  ＲＢ）の２つに分けられることができる。ＳＲＢは、制御平面においてＲＲＣメッセージを伝送する通路として使用され、ＤＲＢは、ユーザ平面においてユーザデータを伝送する通路として使用される。
【００３７】
端末のＲＲＣ階層とＥ−ＵＴＲＡＮのＲＲＣ階層との間にＲＲＣ連結（ＲＲＣ  Ｃｏｎｎｅｃｔｉｏｎ）が確立されれば、端末は、ＲＲＣ連結（ＲＲＣ  ｃｏｎｎｅｃｔｅｄ）状態にあるようになり、そうでない場合、ＲＲＣアイドル（ＲＲＣ  ｉｄｌｅ）状態にあるようになる。
【００３８】
ネットワークから端末にデータを伝送する下向きリンク伝送チャネルとしては、システム情報を伝送するＢＣＨ（Ｂｒｏａｄｃａｓｔ  Ｃｈａｎｎｅｌ）と、それ以外に、ユーザトラフィックや制御メッセージを伝送する下向きリンクＳＣＨ（Ｓｈａｒｅｄ  Ｃｈａｎｎｅｌ）とがある。下向きリンクマルチキャストまたはブロードキャストサービスのトラフィック、或いは制御メッセージの場合、下向きリンクＳＣＨを介して伝送されることができ、または、別の下向きリンクＭＣＨ（Ｍｕｌｔｉｃａｓｔ  Ｃｈａｎｎｅｌ）を介して伝送されることもできる。一方、端末からネットワークにデータを伝送する上向きリンク伝送チャネルとしては、初期制御メッセージを伝送するＲＡＣＨ（Ｒａｎｄｏｍ  Ａｃｃｅｓｓ  Ｃｈａｎｎｅｌ）と、それ以外に、ユーザトラフィックや制御メッセージを伝送する上向きリンクＳＣＨ（Ｓｈａｒｅｄ  Ｃｈａｎｎｅｌ）とがある。
【００３９】
伝送チャネル上位にあり、伝送チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４０】
物理チャネル（Ｐｈｙｓｉｃａｌ  Ｃｈａｎｎｅｌ）は、時間領域において複数個のＯＦＤＭシンボルと、周波数領域において複数個の副搬送波（Ｓｕｂ−ｃａｒｒｉｅｒ）とで構成される。１つのサブフレーム（Ｓｕｂ−ｆｒａｍｅ）は、時間領域において複数のＯＦＤＭシンボル（Ｓｙｍｂｏｌ）などで構成される。資源ブロックは、資源割当単位に、複数のＯＦＤＭシンボル等と複数の副搬送波（ｓｕｂ−ｃａｒｒｉｅｒ）等とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、すなわち、Ｌ１／Ｌ２制御チャネルのために、当該サブフレームの特定ＯＦＤＭシンボル（例えば、１番目のＯＦＤＭシンボル）の特定副搬送波を用いることができる。ＴＴＩ（Ｔｒａｎｓｍｉｓｓｉｏｎ  Ｔｉｍｅ  Ｉｎｔｅｒｖａｌ）は、サブフレーム伝送の単位時間である。
【００４１】
３ＧＰＰ  ＴＳ  ３６．２１１  Ｖ８．７．０に開示されたように、３ＧＰＰ  ＬＴＥにおいて物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）及びＰＵＣＣＨ（Ｐｈｙｓｉｃａｌ  Ｕｐｌｉｎｋ  Ｃｏｎｔｒｏｌ  Ｃｈａｎｎｅｌ）に分けることができる。
【００４２】
サブフレームの１番目のＯＦＤＭシンボルにおいて伝送されるＰＣＦＩＣＨは、サブフレーム内で制御チャネルの伝送に使用されるＯＦＤＭシンボルの数（すなわち、制御領域の大きさ）に関するＣＦＩ（ｃｏｎｔｒｏｌ  ｆｏｒｍａｔ  ｉｎｄｉｃａｔｏｒ）を運ぶ。端末は、まず、ＰＣＦＩＣＨ上にＣＦＩを受信した後、ＰＤＣＣＨをモニタリングする。
【００４３】
ＰＤＣＣＨは、下向きリンク制御チャネルであって、スケジューリング情報を運ぶ点においてスケジューリングチャネルともいう。ＰＤＣＣＨを介して伝送される制御情報を下向きリンク制御情報（ｄｏｗｎｌｉｎｋ  ｃｏｎｔｒｏｌ  ｉｎｆｏｒｍａｔｉｏｎ、ＤＣＩ）という。ＤＣＩは、ＰＤＳＣＨの資源割当（これをＤＬグラント（ｄｏｗｎｌｉｎｋ  ｇｒａｎｔ）ともいう）、ＰＵＳＣＨの資源割当（これをＵＬグラント（ｕｐｌｉｎｋ  ｇｒａｎｔ）ともいう）、任意のＵＥグループ内の個別ＵＥに対する伝送パワー制御命令の集合及び／又はＶｏＩＰ（Ｖｏｉｃｅ  ｏｖｅｒ  Ｉｎｔｅｒｎｅｔ  Ｐｒｏｔｏｃｏｌ）の活性化を含むことができる。
【００４４】
３ＧＰＰ  ＬＴＥでは、ＰＤＣＣＨの検出のためにブラインドデコーディングを使用する。ブラインドデコーディングは、受信されるＰＤＣＣＨ（これを候補（ｃａｎｄｉｄａｔｅ）ＰＤＣＣＨとする）のＣＲＣ（Ｃｙｃｌｉｃ  Ｒｅｄｕｎｄａｎｃｙ  Ｃｈｅｃｋ）に所望の識別子をデマスキングし  、ＣＲＣエラーをチェックして、当該ＰＤＣＣＨが自分の制御チャネルであるか否かを確認する方式である。
【００４５】
基地局は、端末に送ろうとするＤＣＩによってＰＤＣＣＨフォーマットを決定した後、ＤＣＩにＣＲＣを付け、ＰＤＣＣＨの所有者（ｏｗｎｅｒ）や用途によって固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という）をＣＲＣにマスキングする。
【００４６】
以下、端末のＲＲＣ状態（ＲＲＣ  ｓｔａｔｅ）とＲＲＣ連結方法について詳述する。
【００４７】
ＲＲＣ状態とは、端末のＲＲＣ階層がＥ−ＵＴＲＡＮのＲＲＣ階層と論理的連結（ｌｏｇｉｃａｌ  ｃｏｎｎｅｃｔｉｏｎ）されているか否かをいい、連結されている場合はＲＲＣ連結状態、連結されていない場合はＲＲＣアイドル状態と呼ぶ。ＲＲＣ連結状態の端末は、ＲＲＣ連結が存在するので、Ｅ−ＵＴＲＡＮは、当該端末の存在をセル単位で把握することができ、したがって、端末を効果的に制御することができる。それに対し、ＲＲＣアイドル状態の端末は、Ｅ−ＵＴＲＡＮを把握することができず、セルより大きい地域単位であるトラッキング領域（Ｔｒａｃｋｉｎｇ  Ａｒｅａ）単位でＣＮ（ｃｏｒｅ  ｎｅｔｗｏｒｋ）が管理する。すなわち、ＲＲＣアイドル状態の端末は、大きい地域単位で存在可否のみ把握され、音声やデータのような通常の移動通信サービスを受けるためには、ＲＲＣ連結状態に移動しなければならない。
【００４８】
ユーザが端末の電源を最初につけたとき、端末は、まず、適切なセルを探索した後、当該セルでＲＲＣアイドル状態にとどまる。ＲＲＣアイドル状態の端末は、ＲＲＣ連結を結ぶ必要があるときにはじめてＲＲＣ連結過程（ＲＲＣ  ｃｏｎｎｅｃｔｉｏｎ  ｐｒｏｃｅｄｕｒｅ）を介してＥ−ＵＴＲＡＮとＲＲＣ連結を確立し、ＲＲＣ連結状態に遷移する。ＲＲＣアイドル状態にあった端末がＲＲＣ連結を結ぶ必要がある場合は、種々があるが、例えば、ユーザの通話試みなどの理由で上向きデータ伝送が必要であるとか、それとも、Ｅ−ＵＴＲＡＮから呼び出し（ｐａｇｉｎｇ）メッセージを受信した場合、これに対する応答メッセージ伝送などを挙げることができる。
【００４９】
ＲＲＣ階層上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００５０】
ＮＡＳ統層において端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの２つの状態が定義されており、この２つの状態は端末とＭＭＥに適用される。初期端末は、ＥＭＭ−ＤＥＲＥＧＩＳＴＥＲＥＤ状態であり、この端末がネットワークに接続するために、初期連結（Ｉｎｉｔｉａｌ  Ａｔｔａｃｈ）手順によって当該ネットワークに登録する過程を行う。前記連結（Ａｔｔａｃｈ）手順が成功的に行われれば、端末及びＭＭＥはＥＭＭ−ＲＥＧＩＳＴＥＲＥＤ状態になる。
【００５１】
端末とＥＰＣとの間のシグナリング連結（ｓｉｇｎａｌｉｎｇｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の２つの状態が定義されており、この２つの状態は端末及びＭＭＥに適用される。ＥＣＭ−ＩＤＬＥ状態の端末がＥ−ＵＴＲＡＮとＲＲＣ連結を結ぶと、当該端末はＥＣＭ−ＣＯＮＮＥＣＴＥＤ状態になる。ＥＣＭ−ＩＤＬＥ状態にあるＭＭＥは、Ｅ−ＵＴＲＡＮとＳ１連結（Ｓ１  ｃｏｎｎｅｃｔｉｏｎ）を結ぶと、ＥＣＭ−ＣＯＮＮＥＣＴＥＤ状態になる。端末がＥＣＭ−ＩＤＬＥ状態にあるときには、Ｅ−ＵＴＲＡＮは、端末の背景（ｃｏｎｔｅｘｔ）情報を有していない。したがって、ＥＣＭ−ＩＤＬＥ状態の端末は、ネットワークの命令を受ける必要無しにセル選択（ｃｅｌｌ  ｓｅｌｅｃｔｉｏｎ）またはセル再選択（ｒｅｓｅｌｅｃｔｉｏｎ）のような端末基盤の移動性関連手順を行う。それに対し、端末がＥＣＭ−ＣＯＮＮＥＣＴＥＤ状態にあるときには、端末の移動性はネットワークの命令によって管理される。ＥＣＭ−ＩＤＬＥ状態で端末の位置が、ネットワークが知っている位置と変わる場合、端末は、トラッキング領域更新（Ｔｒａｃｋｉｎｇ  Ａｒｅａ  Ｕｐｄａｔｅ）手順によってネットワークに端末の当該位置を知らせる。
【００５２】
次は、システム情報（Ｓｙｓｔｅｍ  Ｉｎｆｏｒｍａｔｉｏｎ）に関する説明である。
【００５３】
システム情報は、端末が基地局に接続するために知るべき必須情報を含む。したがって、端末は、基地局に接続する前にシステム情報を全て受信していなければならず、また、常に最新のシステム情報を有していなければならない。そして、前記システム情報は、１つのセル内の全ての端末が知っていなければならない情報であるから、基地局は、周期的に前記システム情報を伝送する。システム情報は、ＭＩＢ（Ｍａｓｔｅｒ  Ｉｎｆｏｒｍａｔｉｏｎ  Ｂｌｏｃｋ）及び複数のＳＩＢ（Ｓｙｓｔｅｍ  Ｉｎｆｏｒｍａｔｉｏｎ  Ｂｌｏｃｋ）に分けられる。
【００５４】
ＭＩＢは、セルから他の情報のために取得されることが要求される最も必須的かつ最も頻繁に伝送されるパラメータの制限された個数を含むことができる。端末は、下向きリンク同期化後に最も先にＭＩＢを探す。ＭＩＢは、下向きリンクチャネル帯域幅、ＰＨＩＣＨ設定、同期化を支援し、タイミング基準として動作するＳＦＮ、及びｅＮＢ伝送アンテナ設定のような情報を含むことができる。ＭＩＢは、ＢＣＨ上にブロードキャスト伝送されることができる。
【００５５】
含まれたＳＩＢ等のうち、ＳＩＢ１（ＳｙｓｔｅｍＩｎｆｏｒｍａｔｉｏｎＢｌｏｃｋＴｙｐｅ１）は、「ＳｙｓｔｅｍＩｎｆｏｒｍａｔｉｏｎＢｌｏｃｋＴｙｐｅ１」メッセージに含まれて伝送され、ＳＩＢ１を除いた他のＳＩＢ等は、システム情報メッセージに含まれて伝送される。ＳＩＢ等をシステム情報メッセージにマッピングさせることは、ＳＩＢ１に含まれたスケジューリング情報リストパラメータによって流動的に設定されることができる。ただし、各ＳＩＢは単一システム情報メッセージに含まれ、ただ同じスケジューリング要求値（ｅ．ｇ．周期）を有したＳＩＢ等のみが同じシステム情報メッセージにマッピングされ得る。また、ＳＩＢ２（ＳｙｓｔｅｍＩｎｆｏｒｍａｔｉｏｎＢｌｏｃｋＴｙｐｅ２）は、常にスケジューリング情報リストのシステム情報メッセージリスト内の１番目のエントリーに当該するシステム情報メッセージにマッピングされる。同じ周期内に複数のシステム情報メッセージが伝送され得る。ＳＩＢ１及び全てのシステム情報メッセージは、ＤＬ−ＳＣＨ上に伝送される。
【００５６】
ブロードキャスト伝送に加えて、Ｅ−ＵＴＲＡＮは、ＳＩＢ１が既存に設定された値と同様に設定されたパラメータを含んだまま、専用シグナリング（ｄｅｄｉｃａｔｅｄ  ｓｉｇｎａｌｉｎｇ）されることができ、この場合、ＳＩＢ１は、ＲＲＣ連結再設定メッセージに含まれて伝送されることができる。
【００５７】
ＳＩＢ１は、端末セル接近と関連した情報を含み、他のＳＩＢ等のスケジューリングを定義する。ＳＩＢ１は、ネットワークのＰＬＭＮ識別子等、ＴＡＣ（Ｔｒａｃｋｉｎｇ  Ａｒｅａ  Ｃｏｄｅ）、及びセルＩＤ、セルがキャンプオンできるセルであるか否かを指示するセル禁止状態（ｃｅｌｌ  ｂａｒｒｉｎｇ  ｓｔａｔｕｓ）、セル再選択基準として使用されるセル内に要求される最低受信レベル、及び他のＳＩＢ等の伝送時間及び周期と関連した情報を含むことができる。
【００５８】
ＳＩＢ２は、全ての端末に共通する無線資源設定情報を含むことができる。ＳＩＢ２は、上向きリンク搬送波周波数及び上向きリンクチャネル帯域幅、ＲＡＣＨ設定、ページ設定（ｐａｇｉｎｇ  ｃｏｎｆｉｇｕｒａｔｉｏｎ）、上向きリンクパワー制御設定、サウンディング基準信号設定（Ｓｏｕｎｄｉｎｇ  Ｒｅｆｅｒｅｎｃｅ  Ｓｉｇｎａｌ  ｃｏｎｆｉｇｕｒａｔｉｏｎ）、ＡＣＫ／ＮＡＣＫ伝送を支援するＰＵＣＣＨ設定、及びＰＵＳＣＨ設定と関連した情報を含むことができる。
【００５９】
端末は、システム情報の取得及び変更感知手順をＰＣｅｌｌに対してのみ適用することができる。ＳＣｅｌｌにおいて、Ｅ−ＵＴＲＡＮは、当該ＳＣｅｌｌが追加されるとき、ＲＲＣ連結状態動作と関連のある全てのシステム情報を専用シグナリングを介して提供することができる。設定されたＳＣｅｌｌの関連したシステム情報の変更時、Ｅ−ＵＴＲＡＮは、考慮されるＳＣｅｌｌを解除（ｒｅｌｅａｓｅ）し、向後に追加することができるが、これは、単一ＲＲＣ連結再設定メッセージとともに行われることができる。Ｅ−ＵＴＲＡＮは、考慮されるＳＣｅｌｌ内でブロードキャストされた値と異なるパラメータ値を専用シグナリングを介して設定することができる。
【００６０】
端末は、特定タイプのシステム情報に対してその有効性を保障しなければならず、このようなシステム情報を必須システム情報（ｒｅｑｕｉｒｅｄ  ｓｙｓｔｅｍ  ｉｎｆｏｒｍａｔｉｏｎ）という。必須システム情報は、下記のように定義されることができる。
【００６１】
・端末がＲＲＣアイドル状態である場合：端末は、ＳＩＢ２〜ＳＩＢ８のみならず、ＭＩＢ及びＳＩＢ１の有効であるバージョンを有しているように保障しなければならず、これは、考慮されるＲＡＴの支援にしたがうことができる。
【００６２】
・端末がＲＲＣ連結状態である場合：端末は、ＭＩＢ、ＳＩＢ１、及びＳＩＢ２の有効であるバージョンを有しているように保障しなければならない。
【００６３】
一般的に、システム情報は、取得後に最大３時間まで有効性が保障され得る。
【００６４】
一般的に、ネットワークが端末に提供するサービスは、下記のように３つのタイプに区分することができる。また、どのようなサービスの提供を受けることができるかによって端末はセルのタイプも異なるように認識する。下記において、まず、サービスタイプを叙述し、次いで、セルのタイプを叙述する。
【００６５】
１）制限的サービス（Ｌｉｍｉｔｅｄ  ｓｅｒｖｉｃｅ）：このサービスは、応急呼出（Ｅｍｅｒｇｅｎｃｙ  ｃａｌｌ）及び災害警報システム（Ｅａｒｔｈｑｕａｋｅ  ａｎｄ  Ｔｓｕｎａｍｉ  Ｗａｒｎｉｎｇ  Ｓｙｓｔｅｍ；ＥＴＷＳ）を提供し、収容可能セル（ａｃｃｅｐｔａｂｌｅ  ｃｅｌｌ）で提供することができる。
【００６６】
２）正規サービス（Ｎｏｒｍａｌ  ｓｅｒｖｉｃｅ）：このサービスは、一般的用途の汎用サービス（ｐｕｂｌｉｃ  ｕｓｅ）を意味し、正規セル（ｓｕｉｔａｂｌｅ  ｏｒ  ｎｏｒｍａｌ  ｃｅｌｌ）で提供することができる。
【００６７】
３）事業者サービス（Ｏｐｅｒａｔｏｒ  ｓｅｒｖｉｃｅ）：このサービスは、通信網事業者のためのサービスを意味し、このセルは、通信網事業者のみ使用することができ、一般ユーザは使用することができない。
【００６８】
セルが提供するサービスタイプと関連して、セルのタイプは、下記のように区分されることができる。
【００６９】
１）収容可能セル（Ａｃｃｅｐｔａｂｌｅ  ｃｅｌｌ）：端末が制限された（Ｌｉｍｉｔｅｄ）サービスの提供を受けることができるセル。このセルは、当該端末の立場で、禁止（ｂａｒｒｅｄ）されておらず、端末のセル選択基準を満たすセルである。
【００７０】
２）正規セル（Ｓｕｉｔａｂｌｅ  ｃｅｌｌ）：端末が正規サービスの提供を受けることができるセル。このセルは、収容可能セルの条件を満たし、同時に追加条件を満たす。追加的な条件としては、このセルが、当該端末が接続できるＰＬＭＮ（Ｐｕｂｌｉｃ  Ｌａｎｄ  Ｍｏｂｉｌｅ  Ｎｅｔｗｏｒｋ）所属でなければならず、端末のトラッキング領域（Ｔｒａｃｋｉｎｇ  Ａｒｅａ）更新手順の実行が禁止されていないセルでなければならない。当該セルがＣＳＧセルであるとすれば、端末がこのセルにＣＳＧメンバーとして接続が可能なセルでなければならない。
【００７１】
３）禁止されたセル（Ｂａｒｒｅｄ  ｃｅｌｌ）：セルがシステム情報を介して禁止されたセルであるという情報をブロードキャストするセルである。
【００７２】
４）予約されたセル（Ｒｅｓｅｒｖｅｄ  ｃｅｌｌ）：セルがシステム情報を介して予約されたセルであるという情報をブロードキャストするセルである。
【００７３】
図４は、ＲＲＣアイドル状態の端末の動作を示すフローチャートである。図４は、初期電源がついた端末がセル選択過程を経てネットワーク網に登録し、次いで、必要な場合、セル再選択をする手順を示す。
【００７４】
図４に示すように、端末は、自分がサービスを受けようとする網であるＰＬＭＮ（ｐｕｂｌｉｃ  ｌａｎｄ  ｍｏｂｉｌｅ  ｎｅｔｗｏｒｋ）と通信するためのラジオ接続技術（ｒａｄｉｏ  ａｃｃｅｓｓ  ｔｅｃｈｎｏｌｏｇｙ；ＲＡＴ）を選択する（Ｓ４１０）。ＰＬＭＮ及びＲＡＴに関する情報は、端末のユーザが選択することができ、ＵＳＩＭ（ｕｎｉｖｅｒｓａｌ  ｓｕｂｓｃｒｉｂｅｒ  ｉｄｅｎｔｉｔｙ  ｍｏｄｕｌｅ）に保存されているものを使用することもできる。
【００７５】
端末は、測定した基地局と信号強さや品質が特定した値より大きいセルの中で最も大きい値を有するセルを選択する（Ｃｅｌｌ  Ｓｅｌｅｃｔｉｏｎ）（Ｓ４２０）。これは、電源がついた端末がセル選択を行うものであって、初期セル選択（ｉｎｉｔｉａｌ  ｃｅｌｌ  ｓｅｌｅｃｔｉｏｎ）といえる。セル選択手順については後述する。セル選択後の端末は、基地局が周期的に送るシステム情報を受信する。前記においていう特定した値は、データ送受信での物理的信号に対する品質の保証を受けるためにシステムで定義された値をいう。したがって、適用されるＲＡＴによってその値は異なることができる。
【００７６】
端末は、網登録の必要がある場合、網登録手順を行う（Ｓ４３０）。端末は、網からサービス（例えば、Ｐａｇｉｎｇ）を受けるために、自分の情報（例えば、ＩＭＳＩ）を登録する。端末は、セルを選択する度に接続する網に登録をするものではなく、システム情報から受けた網の情報（例えば、Ｔｒａｃｋｉｎｇ  Ａｒｅａ  Ｉｄｅｎｔｉｔｙ；ＴＡＩ）と、自分の知っている網の情報とが異なる場合に網に登録をする。
【００７７】
端末は、セルから提供されるサービス環境または端末の環境などに基づいてセル再選択を行う（Ｓ４４０）。端末は、サービスを受けている基地局から測定した信号の強さや品質の値が隣接したセルの基地局から測定した値より低ければ、端末が接続した基地局のセルよりさらに良い信号特性を提供する他のセルのうちの１つを選択する。この過程を２番目の過程の初期セル選択（Ｉｎｉｔｉａｌ  Ｃｅｌｌ  Ｓｅｌｅｃｔｉｏｎ）と区分してセル再選択（Ｃｅｌｌ  Ｒｅ−Ｓｅｌｅｃｔｉｏｎ）という。このとき、信号特性の変化によって頻繁にセルが再選択されることを防止するために、時間的な制約条件をおく。セル再選択手順については、後述する。
【００７８】
図５は、ＲＲＣ連結を確立する過程を示したフローチャートである。
【００７９】
端末は、ＲＲＣ連結を要請するＲＲＣ連結要請（ＲＲＣ  Ｃｏｎｎｅｃｔｉｏｎ  Ｒｅｑｕｅｓｔ）メッセージをネットワークに送る（Ｓ５１０）。ネットワークは、ＲＲＣ連結要請に対する応答としてＲＲＣ連結設定（ＲＲＣ  Ｃｏｎｎｅｃｔｉｏｎ  Ｓｅｔｕｐ）メッセージを送る（Ｓ５２０）。ＲＲＣ連結設定メッセージを受信した後、端末はＲＲＣ連結モードに進入する。
【００８０】
端末は、ＲＲＣ連結確立の成功的な完了を確認するために使用されるＲＲＣ連結設定完了（ＲＲＣ  Ｃｏｎｎｅｃｔｉｏｎ  Ｓｅｔｕｐ  Ｃｏｍｐｌｅｔｅ）メッセージをネットワークに送る（Ｓ５３０）。
【００８１】
図６は、ＲＲＣ連結再設定過程を示したフローチャートである。ＲＲＣ連結再設定（ｒｅｃｏｎｆｉｇｕｒａｔｉｏｎ）は、ＲＲＣ連結を修正するのに使用される。これは、ＲＢ確立／修正（ｍｏｄｉｆｙ）／解除（ｒｅｌｅａｓｅ）、ハンドオーバー実行、測定セットアップ／修正／解除するために使用される。
【００８２】
ネットワークは、端末にＲＲＣ連結を修正するためのＲＲＣ連結再設定（ＲＲＣ  Ｃｏｎｎｅｃｔｉｏｎ  Ｒｅｃｏｎｆｉｇｕｒａｔｉｏｎ）メッセージを送る（Ｓ６１０）。端末は、ＲＲＣ連結再設定に対する応答として、ＲＲＣ連結再設定の成功的な完了を確認するために使用されるＲＲＣ連結再設定完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージをネットワークに送る（Ｓ６２０）。
【００８３】
以下において、ＰＬＭＮ（ｐｕｂｌｉｃ  ｌａｎｄ  ｍｏｂｉｌｅ  ｎｅｔｗｏｒｋ）について説明する。
【００８４】
ＰＬＭＮは、モバイルネットワーク運営者によって配置及び運用されるネットワークである。各モバイルネットワーク運営者は、１つまたはそれ以上のＰＬＭＮを運用する。各ＰＬＭＮは、ＭＣＣ（Ｍｏｂｉｌｅ  Ｃｏｕｎｔｒｙ  Ｃｏｄｅ）及びＭＮＣ（Ｍｏｂｉｌｅ  Ｎｅｔｗｏｒｋ  Ｃｏｄｅ）で識別されることができる。セルのＰＬＭＮ情報は、システム情報に含まれてブロードキャストされる。
【００８５】
ＰＬＭＮ選択、セル選択、及びセル再選択において、様々なタイプのＰＬＭＮが端末により考慮され得る。
【００８６】
ＨＰＬＭＮ（Ｈｏｍｅ  ＰＬＭＮ）：端末ＩＭＳＩのＭＣＣ及びＭＮＣとマッチングされるＭＣＣ及びＭＮＣを有するＰＬＭＮ。
【００８７】
ＥＨＰＬＭＮ（Ｅｑｕｉｖａｌｅｎｔ  ＨＰＬＭＮ）：ＨＰＬＭＮと等価で取り扱われるＰＬＭＮ。
【００８８】
ＲＰＬＭＮ（Ｒｅｇｉｓｔｅｒｅｄ  ＰＬＭＮ）：位置登録が成功的に終えられたＰＬＭＮ。
【００８９】
ＥＰＬＭＮ（Ｅｑｕｉｖａｌｅｎｔ  ＰＬＭＮ）：ＲＰＬＭＮと等価で取り扱われるＰＬＭＮ。
【００９０】
各モバイルサービス需要者は、ＨＰＬＭＮに加入する。ＨＰＬＭＮまたはＥＨＰＬＭＮによって端末に一般サービスが提供されるとき、端末は、ローミング状態（ｒｏａｍｉｎｇ  ｓｔａｔｅ）にない。それに対し、ＨＰＬＭＮ／ＥＨＰＬＭＮ以外のＰＬＭＮによって端末にサービスが提供されるとき、端末は、ローミング状態にあり、そのＰＬＭＮは、ＶＰＬＭＮ（Ｖｉｓｉｔｅｄ  ＰＬＭＮ）と呼ばれる。
【００９１】
端末は、初期に電源がつくと使用可能なＰＬＭＮ（ｐｕｂｌｉｃ  ｌａｎｄ  ｍｏｂｉｌｅ  ｎｅｔｗｏｒｋ）を検索し、サービスを受けることができる適切なＰＬＭＮを選択する。ＰＬＭＮは、モバイルネットワーク運営者（ｍｏｂｉｌｅ  ｎｅｔｗｏｒｋ  ｏｐｅｒａｔｏｒ）により配置されるか（ｄｅｐｌｏｙ）、運営されるネットワークである。各モバイルネットワーク運営者は、１つまたはそれ以上のＰＬＭＮを運営する。それぞれのＰＬＭＮは、ＭＣＣ（ｍｏｂｉｌｅ  ｃｏｕｎｔｒｙ  ｃｏｄｅ）及びＭＮＣ（ｍｏｂｉｌｅ  ｎｅｔｗｏｒｋ  ｃｏｄｅ）によって識別されることができる。セルのＰＬＭＮ情報は、システム情報に含まれてブロードキャストされる。端末は、選択したＰＬＭＮを登録しようと試みる。登録が成功した場合、選択されたＰＬＭＮは、ＲＰＬＭＮ（ｒｅｇｉｓｔｅｒｅｄ  ＰＬＭＮ）になる。ネットワークは、端末にＰＬＭＮリストをシグナリングすることができるが、これは、ＰＬＭＮリストに含まれたＰＬＭＮをＲＰＬＭＮと同様なＰＬＭＮであると考慮することができる。ネットワークに登録された端末は、常時ネットワークによって接近されることができ（ｒｅａｃｈａｂｌｅ）なければならない。もし、端末がＥＣＭ−ＣＯＮＮＥＣＴＥＤ状態（同じくは、ＲＲＣ連結状態）にある場合、ネットワークは、端末がサービスを受けていることを認知する。しかし、端末がＥＣＭ−ＩＤＬＥ状態（同じくは、ＲＲＣアイドル状態）にある場合、端末の状況がｅＮＢでは有効でないが、ＭＭＥには保存されている。この場合、ＥＣＭ−ＩＤＬＥ状態の端末の位置は、ＴＡ（ｔｒａｃｋｉｎｇ  Ａｒｅａ）等のリストの粒度（ｇｒａｎｕｌａｒｉｔｙ）でただＭＭＥにのみ知られる。単一ＴＡは、ＴＡが所属されたＰＬＭＮ識別子で構成されたＴＡＩ（ｔｒａｃｋｉｎｇ  ａｒｅａ  ｉｄｅｎｔｉｔｙ）及びＰＬＭＮ内のＴＡを唯一表現するＴＡＣ（ｔｒａｃｋｉｎｇ  ａｒｅａ  ｃｏｄｅ）により識別される。
【００９２】
次いで、選択したＰＬＭＮが提供するセルの中で前記端末が適切なサービスの提供を受けることができる信号品質と特性を有したセルを選択する。
【００９３】
次は、端末がセルを選択する手順について詳しく説明する。
【００９４】
電源がつくか、セルにとどまっているとき、端末は、適切な品質のセルを選択／再選択してサービスを受けるための手順を行う。
【００９５】
ＲＲＣアイドル状態の端末は、常に適切な品質のセルを選択して、このセルを介してサービスの提供を受けるための準備をしていなければならない。例えば、電源がちょうどついた端末は、ネットワークに登録するために適切な品質のセルを選択しなければならない。ＲＲＣ連結状態にあった前記端末がＲＲＣアイドル状態に進入すれば、前記端末は、ＲＲＣアイドル状態でとどまるセルを選択しなければならない。このように、前記端末がＲＲＣアイドル状態のようなサービス待機状態にとどまっているために、ある条件を満たすセルを選ぶ過程をセル選択（Ｃｅｌｌ  Ｓｅｌｅｃｔｉｏｎ）という。重要な点は、前記セル選択は、前記端末が前記ＲＲＣアイドル状態にとどまっているセルを現在決定できなかった状態で行うことであるから、なるべく速やかにセルを選択することが何より重要である。したがって、所定基準以上の無線信号品質を提供するセルであれば、たとえ、このセルが端末に最も良い無線信号品質を提供するセルでないとしても、端末のセル選択過程で選択されることができる。
【００９６】
これから、３ＧＰＰ  ＴＳ  ３６．３０４  Ｖ８．５．０（２００９−０３）「Ｕｓｅｒ  Ｅｑｕｉｐｍｅｎｔ（ＵＥ）  ｐｒｏｃｅｄｕｒｅｓ  ｉｎ  ｉｄｌｅ  ｍｏｄｅ（Ｒｅｌｅａｓｅ８）」を参照して、３ＧＰＰ  ＬＴＥにおいて端末がセルを選択する方法及び手順について詳述する。
【００９７】
セル選択過程は、２つに大別される。
【００９８】
まず、初期セル選択過程であって、この過程では、前記端末が無線チャネルに対する事前情報がない。したがって、前記端末は、適切なセルを探すために全ての無線チャネルを検索する。各チャネルにおいて前記端末は最も強いセルを探す。その後、前記端末がセル選択基準を満たす適切な（ｓｕｉｔａｂｌｅ）セルを探しさえすれば、当該セルを選択する。
【００９９】
次に、端末は、保存された情報を活用したり、セルで放送している情報を活用してセルを選択することができる。したがって、初期セル選択過程に比べてセル選択が迅速でありうる。端末がセル選択基準を満たすセルを探しさえすれば、当該セルを選択する。もし、この過程を介してセル選択基準を満たす適切なセルを探すことができなければ、端末は、初期セル選択過程を行う。
【０１００】
セル選択基準は、下記の数式１のように定義され得る。
【０１０１】
【数１】
0006377790.tif 000002
【０１０２】
ここで、前記数式１の各変数は、下記の表１のように定義され得る。
【０１０３】
【表１】
0006377790.tif 000003
【０１０４】
シグナリングされた値であるＱｒｘｌｅｖｍｉｎｏｆｆｓｅｔ及びＱｑｕａｌｍｉｎｏｆｆｓｅｔは、端末がＶＰＬＭＮ内の正規セルにキャンプしている間、より高い優先順位のＰＬＭＮに対する周期的探索の結果としてセル選択が評価される場合に限って適用されることができる。上記のように、より高い優先順位のＰＬＭＮに対する周期的探索の間、端末は、このようなより高い優先順位のＰＬＭＮの他のセルから保存されたパラメータ値を使用してセル選択評価を行うことができる。
【０１０５】
前記端末が一応セル選択過程を介してあるセルを選択した後、端末の移動性または無線環境の変化などで端末と基地局との間の信号の強さや品質が変わることができる。したがって、もし、選択したセルの品質が低下する場合、端末は、より良い品質を提供する他のセルを選択することができる。このようにセルを再度選択する場合、一般的に、現在選択されたセルよりさらに良い信号品質を提供するセルを選択する。このような過程をセル再選択（Ｃｅｌｌ  Ｒｅｓｅｌｅｃｔｉｏｎ）という。前記セル再選択過程は、無線信号の品質の観点で、一般的に端末に最も良い品質を提供するセルを選択するのに基本的な目的がある。
【０１０６】
無線信号の品質の観点以外に、ネットワークは、周波数別に優先順位を決定して端末に知らせることができる。このような優先順位を受信した端末は、セル再選択過程でこの優先順位を無線信号品質基準より優先的に考慮するようになる。
【０１０７】
上記のように、無線環境の信号特性によってセルを選択または再選択する方法があり、セル再選択の際、再選択のためのセルを選択するのにあたって、セルのＲＡＴと周波数（ｆｒｅｑｕｅｎｃｙ）特性によって次のようなセル再選択方法がありうる。
【０１０８】
・イントラ−周波数（Ｉｎｔｒａ−ｆｒｅｑｕｅｎｃｙ）セル再選択：端末がキャンプ（ｃａｍｐ）中であるセルと同様なＲＡＴと同様な中心周波数（ｃｅｎｔｅｒ−ｆｒｅｑｕｅｎｃｙ）を有するセルを再選択
【０１０９】
・インター−周波数（Ｉｎｔｅｒ−ｆｒｅｑｕｅｎｃｙ）セル再選択：端末がキャンプ中であるセルと同様なＲＡＴと相違した中心周波数を有するセルを再選択
【０１１０】
・インター−ＲＡＴ（Ｉｎｔｅｒ−ＲＡＴ）セル再選択：端末がキャンプ中であるＲＡＴと相違したＲＡＴを使用するセルを再選択
【０１１１】
セル再選択過程の原則は、次のとおりである。
【０１１２】
第１に、端末は、セル再選択のためにサービングセル（ｓｅｒｖｉｎｇ  ｃｅｌｌ）及び隣接セル（ｎｅｉｇｈｂｏｒｉｎｇ  ｃｅｌｌ）の品質を測定する。
【０１１３】
第２に、セル再選択は、セル再選択基準に基づいて行われる。セル再選択基準は、サービングセル及び隣接セルの測定に関連して下記のような特性を有している。
【０１１４】
イントラ−周波数セル再選択は、基本的にランキング（ｒａｎｋｉｎｇ）に基づく。ランキングとは、セル再選択評価のための指標値を定義し、この指標値を用いてセルを指標値の大きさ順に順序を付ける作業である。最も良い指標を有するセルを普通最高順位セル（ｈｉｇｈｅｓｔ  ｒａｎｋｅｄ  ｃｅｌｌ）と呼ぶ。セル指標値は、端末が当該セルに対して測定した値を基本として、必要に応じて周波数オフセットまたはセルオフセットを適用した値である。
【０１１５】
インター−周波数セル再選択は、ネットワークにより提供された周波数優先順位に基づく。端末は、最も高い周波数優先順位を有した周波数にとどまる（ｃａｍｐ  ｏｎ）ことができるように試みる。ネットワークは、ブロードキャストシグナリング（ｂｒｏａｄｃａｓｔ  ｓｉｇｎａｌｉｎｇ）を介してセル内の端末が共通的に適用するか、または周波数優先順位を提供したり、端末別シグナリング（ｄｅｄｉｃａｔｅｄ  ｓｉｇｎａｌｉｎｇ）を介して端末別に各々周波数別優先順位を提供することができる。ブロードキャストシグナリングを介して提供されるセル再選択優先順位を共用優先順位（ｃｏｍｍｏｎ  ｐｒｉｏｒｉｔｙ）ということができ、端末別にネットワークが設定するセル再選択優先順位を専用優先順位（ｄｅｄｉｃａｔｅｄ  ｐｒｉｏｒｉｔｙ）ということができる。端末は、専用優先順位を受信すれば、専用優先順位と関連した有効時間（ｖａｌｉｄｉｔｙ  ｔｉｍｅ）を共に受信することができる。端末は、専用優先順位を受信すれば、共に受信した有効時間として設定された有効性タイマー（ｖａｌｉｄｉｔｙ  ｔｉｍｅｒ）を開始する。端末は、有効性タイマーが動作する間、ＲＲＣアイドルモードで専用優先順位を適用する。有効性タイマーが満了すれば、端末は専用優先順位を廃棄し、再度共用優先順位を適用する。
【０１１６】
インター−周波数セル再選択のためにネットワークは、端末にセル再選択に使用されるパラメータ（例えば、周波数別オフセット（ｆｒｅｑｕｅｎｃｙ−ｓｐｅｃｉｆｉｃ  ｏｆｆｓｅｔ））を周波数別に提供することができる。
【０１１７】
イントラ−周波数セル再選択またはインター−周波数セル再選択のためにネットワークは、端末にセル再選択に使用される隣接セルリスト（Ｎｅｉｇｈｂｏｒｉｎｇ  Ｃｅｌｌ  Ｌｉｓｔ、ＮＣＬ）を端末に提供することができる。このＮＣＬは、セル再選択に使用されるセル別パラメータ（例えば、セル別オフセット（ｃｅｌｌ−ｓｐｅｃｉｆｉｃ  ｏｆｆｓｅｔ））を含む。
【０１１８】
イントラ−周波数またはインター−周波数セル再選択のためにネットワークは、端末にセル再選択に使用されるセル再選択禁止リスト（ｂｌａｃｋ  ｌｉｓｔ）を端末に提供することができる。禁止リストに含まれたセルに対して端末は、セル再選択を行わない。
【０１１９】
次いで、セル再選択評価過程で行うランキングに関して説明する。
【０１２０】
セルの優先順位を与えるのに使用されるランキング指標（ｒａｎｋｉｎｇ  ｃｒｉｔｅｒｉｏｎ）は、数式２のように定義される。
【０１２１】
【数２】
0006377790.tif 000004
【０１２２】
ここで、Ｒｓは、サービングセルのランキング指標、Ｒｎは、隣接セルのランキング指標、Ｑｍｅａｓ、ｓは、端末がサービングセルに対して測定した品質値、Ｑｍｅａｓ、ｎは、端末が隣接セルに対して測定した品質値、Ｑｈｙｓｔは、ランキングのためのヒステリシス（ｈｙｓｔｅｒｅｓｉｓ）値、Ｑｏｆｆｓｅｔは、２つのセル間のオフセットである。
【０１２３】
イントラ−周波数において、端末がサービングセルと隣接セルとの間のオフセット（Ｑｏｆｆｓｅｔｓ、ｎ）を受信した場合、Ｑｏｆｆｓｅｔ＝Ｑｏｆｆｓｅｔｓ、ｎであり、端末がＱｏｆｆｓｅｔｓ、ｎを受信しなかった場合には、Ｑｏｆｆｓｅｔ＝０である。
【０１２４】
インター−周波数において、端末が当該セルに対するオフセット（Ｑｏｆｆｓｅｔｓ、ｎ）を受信した場合、Ｑｏｆｆｓｅｔ＝Ｑｏｆｆｓｅｔｓ、ｎ＋Ｑｆｒｅｑｕｅｎｃｙであり、端末がＱｏｆｆｓｅｔｓ、ｎを受信しなかった場合、Ｑｏｆｆｓｅｔ＝Ｑｆｒｅｑｕｅｎｃｙである。
【０１２５】
サービングセルのランキング指標（Ｒｓ）と隣接セルのランキング指標（Ｒｎ）とが互いに類似した状態で変動すれば、変動結果、ランキングの順位が頻りに変わり、端末が２つのセルを交互に再選択することができる。Ｑｈｙｓｔは、セル再選択においてヒステリシスを与えて、端末が２つのセルを交互に再選択することを防止するためのパラメータである。
【０１２６】
端末は、上記の式によってサービングセルのＲｓ及び隣接セルのＲｎを測定し、ランキング指標値が最も大きい値を有したセルを最高順位（ｈｉｇｈｅｓｔ  ｒａｎｋｅｄ）セルと見なし、このセルを再選択する。
【０１２７】
前記基準によれば、セルの品質がセル再選択において最も主な基準として作用することを確認することができる。もし、再選択したセルが正規セル（ｓｕｉｔａｂｌｅ  ｃｅｌｌ）でなければ、端末は、当該周波数または当該セルをセル再選択対象から除外する。
【０１２８】
セル再選択評価によって端末がセル再選択を行うのにあたって、端末は、前記セル再選択基準が特定時間の間、満たされる場合、セル再選択基準が満たされたと決定し、選択されたターゲットセルにセル移動をすることができる。ここで、特定時間は、Ｔｒｅｓｅｌｅｃｔｉｏｎパラメータであって、ネットワークから与えられることができる。Ｔｒｅｓｅｌｅｃｔｉｏｎは、セル再選択タイマー値を特定し、Ｅ−ＵＴＲＡＮの各周波数に対して、及び他のＲＡＴに対して定義され得る。
【０１２９】
以下では、端末のセル再選択のために使用されるセル再選択情報について説明する。
【０１３０】
セル再選択情報は、セル再選択パラメータの形式でネットワークからブロードキャストされるシステム情報に含まれて伝送され、端末に提供されることができる。端末に提供されるセル再選択パラメータは、下記のような種類のもの等がありうる。
【０１３１】
セル再選択優先順位（ｃｅｌｌＲｅｓｅｌｅｃｔｉｏｎＰｒｉｏｒｉｔｙ）：ｃｅｌｌＲｅｓｅｌｅｃｔｉｏｎＰｒｉｏｒｉｔｙパラメータは、Ｅ−ＵＴＲＡＮの周波数、ＵＴＲＡＮの周波数、ＧＥＲＡＮ周波数等のグループ、ＣＤＭＡ２０００  ＨＲＰＤのバンドクラスまたはＣＤＭＡ２０００  １×ＲＴＴのバンドクラスに対する優先順位を特定する。
【０１３２】
Ｑｏｆｆｓｅｔｓ、ｎ：２つのセル間のオフセット値を特定する。
【０１３３】
Ｑｏｆｆｓｅｔｆｒｅｑｕｅｎｃｙ：同じ優先順位のＥ−ＵＴＲＡＮ周波数に対する周波数特定オフセットを特定する。
【０１３４】
Ｑｈｙｓｔ：ランク指標に対するヒステリシス値を特定する。
【０１３５】
Ｑｑｕａｌｍｉｎ：最小に要求される品質レベルを特定し、ｄＢ単位で特定される。
【０１３６】
Ｑｒｘｌｅｖｍｉｎ：最小に要求されるＲｘレベルを特定し、ｄＢ単位で特定される。
【０１３７】
ＴｒｅｓｅｌｅｃｔｉｏｎＥＵＴＲＡ：Ｅ−ＵＴＲＡＮのためのセル再選択タイマー値を特定し、Ｅ−ＵＴＲＡＮの各周波数に対して設定されることができる。
【０１３８】
ＴｒｅｓｅｌｅｃｔｉｏｎＵＴＲＡＮ：ＵＴＲＡＮのためのセル再選択タイマー値を特定する。
【０１３９】
ＴｒｅｓｅｌｅｃｔｉｏｎＧＥＲＡ：ＧＥＲＡＮのためのセル再選択タイマー値を特定する。
【０１４０】
ＴｒｅｓｅｌｅｃｔｉｏｎＣＤＭＡ＿ＨＲＰＤ：ＣＤＭＡ  ＨＲＰＤのためのセル再選択タイマー値を特定する。
【０１４１】
ＴｒｅｓｅｌｅｃｔｉｏｎＣＤＭＡ＿１×ＲＴＴ：ＣＤＭＡ  １×ＲＴＴのためのセル再選択タイマー値を特定する。
【０１４２】
Ｔｈｒｅｓｈｘ、ＨｉｇｈＰ：サービング周波数よりさらに高い優先順位のＲＡＴ／周波数へのセル再選択の際、端末により使用されるＳｒｘｌｅｖ域値をｄＢ単位で特定する。特定域値がＥ−ＵＴＲＡＮ及びＵＴＲＡＮの各周波数、ＧＥＲＡＮ周波数の各グループ、ＣＤＭＡ２０００  ＨＲＰＤの各バンドクラス及びＣＤＭＡ２０００  １×ＲＴＴの各バンドクラスに対して個別的に設定されることができる。
【０１４３】
Ｔｈｒｅｓｈｘ、ＨｉｇｈＱ：サービング周波数よりさらに高い優先順位のＲＡＴ／周波数へのセル再選択の際、端末により使用されるＳｑｕａｌ域値をｄＢ単位で特定する。特定域値がＥ−ＵＴＲＡＮ及びＵＴＲＡＮ  ＦＤＤの各周波数に対して個別的に設定されることができる。
【０１４４】
Ｔｈｒｅｓｈｘ、ＬｏｗＰ：サービング周波数よりさらに低い優先順位のＲＡＴ／周波数へのセル再選択の際、端末により使用されるＳｒｘｌｅｖ域値をｄＢ単位で特定する。特定域値がＥ−ＵＴＲＡＮ及びＵＴＲＡＮの各周波数、ＧＥＲＡＮ周波数の各グループ、ＣＤＭＡ２０００  ＨＲＰＤの各バンドクラス及びＣＤＭＡ２０００  １×ＲＴＴの各バンドクラスに対して個別的に設定されることができる。
【０１４５】
Ｔｈｒｅｓｈｘ、ＬｏｗＱ：サービング周波数よりさらに低い優先順位のＲＡＴ／周波数へのセル再選択の際、端末により使用されるＳｑｕａｌ域値をｄＢ単位で特定する。特定域値がＥ−ＵＴＲＡＮ及びＵＴＲＡＮ  ＦＤＤの各周波数に対して個別的に設定されることができる。
【０１４６】
ＴｈｒｅｓｈＳｅｒｖｉｎｇ、ＬｏｗＰ：より低いＲＡＴ／周波数へのセル再選択の際、サービングセル上の端末により使用されるＳｒｘｌｅｖ域値をｄＢ単位で特定する。
【０１４７】
ＴｈｒｅｓｈＳｅｒｖｉｎｇ、ＬｏｗＱ：より低いＲＡＴ／周波数へのセル再選択の際、サービングセル上の端末により使用されるＳｑｕａｌ域値をｄＢ単位で特定する。
【０１４８】
ＳＩｎｔｒａＳｅｒａｃｈＰ：イントラ−周波数測定に対するＳｒｘｌｅｖ域値をｄＢ単位で特定する。
【０１４９】
ＳＩｎｔｒａＳｅｒａｃｈＱ：イントラ−周波数測定に対するＳｑｕａｌ域値をｄＢ単位で特定する。
【０１５０】
ＳｎｏｎＩｎｔｒａＳｅｒａｃｈＰ：Ｅ−ＵＴＲＡＮインター−周波数及びインター−ＲＡＴ測定に対するＳｒｘｌｅｖ域値をｄＢ単位で特定する。
【０１５１】
ＳｎｏｎＩｎｔｒａＳｅｒａｃｈＱ：Ｅ−ＵＴＲＡＮインター−周波数及びインター−ＲＡＴ測定に対するＳｑｕａｌ域値をｄＢ単位で特定する。
【０１５２】
一方、前述したセル再選択パラメータは、端末の移動性によってスケーリングされることができる。端末の移動性は、特定時間区間の間、端末がセル再選択及び／又はハンドオーバーによって移動した回数に基づいて推定されることができるが、これをＭＳＥ（Ｍｏｂｉｌｉｔｙ  Ｓｔａｔｅ  Ｅｓｔｉｍａｔｉｏｎ）という。ＭＳＥによって端末の移動性は、一般移動性状態（ｎｏｒｍａｌ  ｍｏｂｉｌｉｔｙ  ｓｔａｔｅ）、中間移動性状態（ｍｅｄｉｕｍ  ｍｏｂｉｌｉｔｙ  ｓｔａｔｅ）、及び高い移動性状態（ｈｉｇｈ  ｍｏｂｉｌｉｔｙ  ｓｔａｔｅ）のうち、１つの状態に推定されることができる。
【０１５３】
ＭＳＥにおいて端末の移動性状態推定のための基準として使用され得るパラメータが提供されることができる。ＴＣＲｍａｘは、ＭＳＥに他の端末の移動実行カウントのための特定時間区間を特定する。ＮＣＲ＿Ｈは、高い移動性に進入するためのセル再選択最大回数を指示する。ＮＣＲ＿Ｍは、中間移動性に進入するためのセル再選択最大回数を指示する。ＴＣＲｍａｘＨｙｓｔは、端末が一般移動性状態に進入できる前の追加時間区間を特定する。
【０１５４】
ＲＲＣ＿ＩＤＬＥ状態にある端末は、セル再選択条件が満たされると、セル再選択を行う。端末がＴＣＲｍａｘの間、セル再選択を行った回数が第１の域値であるＮＣＲ＿Ｈを超過すれば、端末の移動性状態は、高い移動性状態の条件が満たされる。一方、ＴＣＲｍａｘの間、セル再選択を行った回数が第２の域値であるＮＣＲ＿Ｍを超過し、第１の域値であるＮＣＲ＿Ｈを超過しなければ、端末の移動性状態は、中間移動性状態の条件が満たされる。端末がＴＣＲｍａｘの間、セル再選択を行った回数が第２の域値であるＮＣＲ＿Ｍを超過しなければ、端末の移動性状態は、一般移動性状態の条件が満たされる。例えば、端末が追加時間区間（ＴＣＲｍａｘＨｙｓｔ）の間、高い移動性状態及び一般移動性状態に感知されないと、端末は、一般移動性状態に推定されることができる。ただし、端末が２つの同じセル間で連続的にセル再選択を行った場合、セル再選択を行った回数にカウントされないことがある。
【０１５５】
ＭＳＥによる端末の移動性状態によってスケーリング因子が特定され得るし、スケーリング因子は、１つ以上のセル再選択パラメータに適用されることができる。例えば、中間移動性及び高い移動性によるスケーリング因子であるｓｆ−Ｍｅｄｉｕｍ及びｓｆ−Ｈｉｇｈは、Ｑｈｙｓｔ、ＴｒｅｓｅｌｅｃｔｉｏｎＥＵＴＲＡ、ＴｒｅｓｅｌｅｃｔｉｏｎＵＴＲＡ、ＴｒｅｓｅｌｅｃｔｉｏｎＧＥＲＡ、ＴｒｅｓｅｌｅｃｔｉｏｎＣＤＭＡ＿ＨＲＰＤ、及びＴｒｅｓｅｌｅｃｔｉｏｎＣＤＭＡ＿１×ＲＴＴに適用されることができる。
【０１５６】
一方、セル再選択情報は、ネットワークと端末との間のＲＲＣ連結解除のために伝送されるＲＲＣメッセージであるＲＲＣ連結解除メッセージに含まれて端末に提供されることもできる。例えば、ＲＲＣ連結解除メッセージには、Ｅ−ＵＴＲＡＮの副搬送波周波数リスト及びセル再選択優先順位、ＵＴＲＡ−ＦＤＤの副搬送波周波数リスト及びセル再選択優先順位、ＵＴＲＡ−ＴＤＤの副搬送波周波数リスト及びセル再選択優先順位、ＧＥＲＡＮの副搬送波周波数リスト及びセル再選択優先順位、ＣＤＭＡ２０００  ＨＲＰＤのバンドクラスリスト及びセル再選択優先順位、ＣＤＭＡ２０００  １×ＲＴＴのバンドクラスリスト及びセル再選択優先順位などを含むことができる。
【０１５７】
以下では、複数の事業者によるＲＡＮ共有について説明する。
【０１５８】
複数の事業者達は、個別的にＲＡＮを構築してサービスを提供することができるが、特定事業者により構築されたセルを共有して加入者にサービスを提供することもできる。これをＲＡＮ共有という。このとき、複数の事業者により共有されているセルは、ＰＬＭＮリストをブロードキャストすることができる。ＰＬＭＮリストは、セルがブロードキャストするシステム情報のＳＩＢ１に含まれて伝送されることができる。一方、ＳＩＢ１に含まれたＰＬＭＮリストにおいて最も先にリストされたＰＬＭＮ識別子が主ＰＬＭＮ（Ｐｒｉｍａｒｙ  ＰＬＭＮ）を指示することができるように実現されることができる。
【０１５９】
１個のセルが複数の事業者から共有される状況で、共有されるセルにより提供されるセル再選択情報は、ＰＬＭＮリスト内の全てのＰＬＭＮに対して共通的に適用されることができる。一般的に共有されるセルにより提供されるセル再選択情報は、主ＰＬＭＮの政策に主に符合するように設定されるようになる。したがって、副ＰＬＭＮによるサービスの提供を受ける端末は、サービス提供のための最適化されたセル再選択情報でない情報に基づいてセル再選択を行うようになる。
【０１６０】
以下では、ＲＲＣ連結状態での端末の移動と関連したハンドオーバーについて説明する。
【０１６１】
図７は、ハンドオーバー過程を示したフローチャートである。
【０１６２】
端末（ＵＥ）は、ソース基地局（Ｓｏｕｒｃｅ  ＢＳ）に測定報告（Ｍｅａｓｕｒｅｍｅｎｔ  Ｒｅｐｏｒｔ）を伝送する（Ｓ７１０）。ソース基地局は、受信した測定報告を利用してハンドオーバー可否を決定する。ソース基地局が隣接セルへのハンドオーバーを決定した場合、前記隣接セルがターゲットセル（Ｔａｒｇｅｔ  Ｃｅｌｌ）になり、ターゲットセルに属した基地局がターゲット基地局（Ｔａｒｇｅｔ  ＢＳ）になる。
【０１６３】
ソース基地局は、ターゲット基地局にハンドオーバー準備（Ｈａｎｄｏｖｅｒ  Ｐｒｅｐａｒａｔｉｏｎ）メッセージを伝送する（Ｓ７１１）。ターゲット基地局は、ハンドオーバーの成功可能性を増加させるために、承認制御（Ａｄｍｉｓｓｉｏｎ  Ｃｏｎｔｒｏｌ）を行う。
【０１６４】
ターゲット基地局は、ソース基地局にハンドオーバー準備ＡＣＫ（Ａｃｋｎｏｗｌｅｄｇｅｍｅｎｔ）メッセージを伝送する（Ｓ７１２）。ハンドオーバー準備ＡＣＫメッセージは、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）及び／又は専用（ｄｅｄｉｃａｔｅｄ）ランダムアクセスプリアンブル（ｐｒｅａｍｂｌｅ）を含むことができる。Ｃ−ＲＮＴＩは、セル内で端末を区別するための識別子である。専用ランダムアクセスプリアンブルは、端末が所定期間の間、独占使用できるプリアンブルであって、非−競争（ｎｏｎ−ｃｏｎｔｅｎｔｉｏｎ）基盤のランダムアクセス過程を行うときに使用される。ランダムアクセス過程は、端末が任意のランダムアクセスプリアンブルを使用する競争基盤のランダムアクセス過程と、端末が専用ランダムアクセスプリアンブルを使用する非−競争基盤のランダムアクセス過程とに分けることができる。非−競争基盤のランダムアクセス過程は、競争基盤のランダムアクセス過程に比べて他の端末との競争によるハンドオーバーの遅延を防止することができる。
【０１６５】
ソース基地局は、端末にハンドオーバー命令（Ｈａｎｄｏｖｅｒ  Ｃｏｍｍａｎｄ）メッセージを伝送する（Ｓ７１３）。ハンドオーバー命令メッセージは、ＲＲＣ（Ｒａｄｉｏ  Ｒｅｓｏｕｒｃｅ  Ｃｏｎｔｒｏｌ）連結再設定（ＲＲＣ  Ｃｏｎｎｅｃｔｉｏｎ  Ｒｅｃｏｎｆｉｇｕｒａｔｉｏｎ）メッセージの形態で伝送されることができる。ハンドオーバー命令メッセージは、ターゲット基地局から受けたＣ−ＲＮＴＩ及び専用ランダムアクセスプリアンブルを含むことができる。
【０１６６】
端末は、ソース基地局からハンドオーバー命令メッセージを受信した後、ターゲット基地局と同期化（ｓｙｎｃｈｒｏｎｉｚａｔｉｏｎ）する（Ｓ７１４）。端末は、ターゲット基地局のＰＳＳとＳＳＳを受信して同期化し、ＰＢＣＨを受信してシステム情報を取得する。
【０１６７】
端末は、ターゲット基地局にランダムアクセスプリアンブルを伝送して、ランダムアクセス過程を開始する（Ｓ７１５）。端末は、ハンドオーバー命令メッセージに含まれた専用ランダムアクセスプリアンブルを使用することができる。または、専用ランダムアクセスプリアンブルが割り当てられていなければ、端末は、ランダムアクセスプリアンブル集合から任意に選択されたランダムアクセスプリアンブルを使用することができる。
【０１６８】
ターゲット基地局は、端末にランダムアクセス応答メッセージを伝送する（Ｓ７１６）。ランダムアクセス応答メッセージは、上向きリンク資源割当及び／又は時間オフセット（ｔｉｍｉｎｇ  ａｄｖａｎｃｅ）を含むことができる。
【０１６９】
ランダムアクセス応答メッセージを受信した端末は、時間オフセットに基づいて上向きリンク同期を調整し、前記上向きリンク資源割当を利用してターゲット基地局にハンドオーバー確認（Ｈａｎｄｏｖｅｒ  Ｃｏｎｆｉｒｍ）メッセージを伝送する（Ｓ７１７）。ハンドオーバー確認メッセージは、ハンドオーバー過程が完了することを指示し、上向きリンクバッファ状態報告（Ｂｕｆｆｅｒ  Ｓｔａｔｕｓ  Ｒｅｐｏｒｔ）とともに伝送されることができる。
【０１７０】
ターゲット基地局は、ＭＭＥ（Ｍｏｂｉｌｉｔｙ  Ｍａｎａｇｅｍｅｎｔ  Ｅｎｔｉｔｙ）に経路変更要請（Ｐａｔｈ  Ｓｗｉｔｃｈ  Ｒｅｑｕｅｓｔ）メッセージを伝送して、ＭＭＥに端末のセルが変更されたことを知らせる（Ｓ７１８）。
【０１７１】
ＭＭＥは、Ｓ−ＧＷ（Ｓｅｒｖｉｎｇ−Ｇａｔｅｗａｙ）にユーザ平面アップデート要請（Ｕｓｅｒ  Ｐｌａｎｅ  Ｕｐｄａｔｅ  Ｒｅｑｕｅｓｔ）メッセージを伝送する（Ｓ７１９）。
【０１７２】
Ｓ−ＧＷは、ターゲット基地局に下向きリンクデータ経路を変更（Ｓｗｉｔｃｈ）する（Ｓ７２０）。
【０１７３】
Ｓ−ＧＷは、ＭＭＥにユーザ平面アップデート応答（ＵｓｅｒＰｌａｎｅ  Ｕｐｄａｔｅ  Ｒｅｓｐｏｎｓｅ）メッセージを伝送する（Ｓ７２１）。
【０１７４】
ＭＭＥは、ターゲット基地局に経路変更要請ＡＣＫ（ＰａｔｈＳｗｉｔｃｈ  Ｒｅｑｕｅｓｔ  ＡＣＫ）メッセージを伝送する（Ｓ７２２）。
【０１７５】
ターゲット基地局は、ソース基地局に資源解除（Ｒｅｓｏｕｒｃｅ  Ｒｅｌｅａｓｅ）メッセージを伝送してハンドオーバーの成功を知らせる（Ｓ７２３）。
【０１７６】
ソース基地局は、前記端末に関連した資源を解除する（Ｓ７２４）。
【０１７７】
以下において、ＲＬＭ（Ｒａｄｉｏ  Ｌｉｎｋ  Ｍｏｎｉｔｏｒｉｎｇ）について説明する。
【０１７８】
端末は、ＰＣｅｌｌの下向きリンク無線リンク品質を感知するために、セル特定参照信号（ｃｅｌｌ−ｓｐｅｃｉｆｉｃ  ｒｅｆｅｒｅｎｃｅ  ｓｉｇｎａｌ）に基づいて下向きリンク品質をモニタリングする。端末は、ＰＣｅｌｌの下向きリンク無線リンク品質のモニターリングを目的として下向きリンク無線リンク品質を推定し、それを域値Ｑｏｕｔ及びＱｉｎと比較する。域値Ｑｏｕｔは、下向きリンク無線リンクが安定的に受信され得ない水準として定義され、これは、ＰＤＦＩＣＨエラーを考慮して仮想のＰＤＣＣＨ伝送（ｈｙｐｏｔｈｅｔｉｃａｌ  ＰＤＣＣＨ  ｔｒａｎｓｍｉｓｓｉｏｎ）の１０％ブロックエラー率に相応する。域値Ｑｉｎは、Ｑｏｕｔのレベルよりさらに安定的に受信され得る下向きリンク無線リンク品質レベルとして定義され、これは、ＰＣＦＩＣＨエラーを考慮して仮想のＰＤＣＣＨ伝送の２％ブロックエラー率に相応する。
【０１７９】
これから、無線リンク失敗（Ｒａｄｉｏ  Ｌｉｎｋ  Ｆａｉｌｕｒｅ；ＲＬＦ）について説明する。
【０１８０】
端末は、サービスを受信するサービングセルとの無線リンクの品質維持のために、持続的に測定を行う。端末は、サービングセルとの無線リンクの品質悪化（ｄｅｔｅｒｉｏｒａｔｉｏｎ）のため、現在状況で通信が不可能であるか否かを決定する。もし、サービングセルの品質があまり低くて通信がほとんど不可能な場合、端末は、現在状況を無線連結失敗として決定する。
【０１８１】
もし、無線リンク失敗が決定されれば、端末は、現在のサービングセルとの通信維持を放棄し、セル選択（または、セル再選択）手順を介して新しいセルを選択し、新しいセルへのＲＲＣ連結再確立（ＲＲＣ  ｃｏｎｎｅｃｔｉｏｎ  ｒｅ−ｅｓｔａｂｌｉｓｈｍｅｎｔ）を試みる。
【０１８２】
３ＧＰＰ  ＬＴＥのスペックでは、正常な通信ができない場合として下記のような例示を挙げている。
【０１８３】
・端末の物理階層の無線品質測定結果に基づいて、端末が下向き通信リンク品質に深刻な問題があると判断した場合（ＲＬＭ実行中、ＰＣｅｌｌの品質が低いと判断した場合）。
【０１８４】
・ＭＡＣ副階層でランダムアクセス（ｒａｎｄｏｍ  ａｃｃｅｓｓ）手順が失敗し続けて、上向きリンク伝送に問題があると判断した場合。
【０１８５】
・ＲＬＣ副階層で上向きデータ伝送が失敗し続けて、上向きリンク伝送に問題があると判断した場合。
【０１８６】
・ハンドオーバーを失敗したことと判断した場合。
【０１８７】
・端末が受信したメッセージが完全性検査（ｉｎｔｅｇｒｉｔｙ  ｃｈｅｃｋ）を通過できなかった場合。
【０１８８】
以下では、ＲＲＣ連結再確立（ＲＲＣ  ｃｏｎｎｅｃｔｉｏｎｒｅ−ｅｓｔａｂｌｉｓｈｍｅｎｔ）手順についてより詳細に説明する。
【０１８９】
図８は、ＲＲＣ連結再確立手順を示す図である。
【０１９０】
図８に示すように、端末は、ＳＲＢ  ０（ＳｉｇｎａｌｉｎｇＲａｄｉｏ  Ｂｅａｒｅｒ  ＃０）を除外した設定されていた全ての無線ベアラ（ｒａｄｉｏ  ｂｅａｒｅｒ）の使用を中断し、ＡＳ（Ａｃｃｅｓｓ  Ｓｔｒａｔｕｍ）の各種副階層を初期化させる（Ｓ８１０）。また、各副階層及び物理階層を基本構成（ｄｅｆａｕｌｔ  ｃｏｎｆｉｇｕｒａｔｉｏｎ）として設定する。このような過程中に端末は、ＲＲＣ連結状態を維持する。
【０１９１】
端末は、ＲＲＣ連結再設定手順を行うためのセル選択手順を行う（Ｓ８２０）。ＲＲＣ連結再確立手順のうち、セル選択手順は、端末がＲＲＣ連結状態を維持しているにもかかわらず、端末がＲＲＣアイドル状態で行うセル選択手順と同様に実行され得る。
【０１９２】
端末は、セル選択手順を行った後、当該セルのシステム情報を確認して、当該セルが適したセルであるか否かを判断する（Ｓ８３０）。もし、選択されたセルが適切なＥ−ＵＴＲＡＮセルであると判断された場合、端末は、当該セルにＲＲＣ連結再確立要請メッセージ（ＲＲＣ  ｃｏｎｎｅｃｔｉｏｎ  ｒｅｅｓｔａｂｌｉｓｈｍｅｎｔ  ｒｅｑｕｅｓｔ  ｍｅｓｓａｇｅ）を伝送する（Ｓ８４０）。
【０１９３】
一方、ＲＲＣ連結再確立手順を行うためのセル選択手順を介して選択されたセルがＥ−ＵＴＲＡＮ以外の他のＲＡＴを使用するセルであると判断された場合、ＲＲＣ連結再確立手順が中断され、端末は、ＲＲＣアイドル状態に進入する（Ｓ８５０）。
【０１９４】
端末は、セル選択手順及び選択したセルのシステム情報受信を介してセルの適切性確認を制限された時間内に終えるように実現されることができる。このために、端末は、ＲＲＣ連結再確立手順を開始することにより、タイマーを駆動させることができる。タイマーは、端末が適したセルを選択したと判断された場合、中断されることができる。タイマーが満了した場合、端末は、ＲＲＣ連結再確立手順が失敗したとみなし、ＲＲＣアイドル状態に進入することができる。このタイマーを以下において無線リンク失敗タイマーと言及する。ＬＴＥスペックＴＳ３６．３３１では、Ｔ３１１という名前のタイマーが無線リンク失敗タイマーとして活用され得る。端末は、このタイマーの設定値をサービングセルのシステム情報から取得することができる。
【０１９５】
端末からＲＲＣ連結再確立要請メッセージを受信し、要請を受諾した場合、セルは、端末にＲＲＣ連結再確立メッセージ（ＲＲＣ  ｃｏｎｎｅｃｔｉｏｎ  ｒｅｅｓｔａｂｌｉｓｈｍｅｎｔ  ｍｅｓｓａｇｅ）を伝送する。
【０１９６】
セルからＲＲＣ連結再確立メッセージを受信した端末は、ＳＲＢ１に対するＰＤＣＰ副階層とＲＬＣ副階層を再構成する。また、保安設定と関連した各種キー値を再度計算し、保安を担当するＰＤＣＰ副階層を新しく計算した保安キー値で再構成する。これにより、端末とセルとの間のＳＲＢ１が開放され、ＲＲＣ制御メッセージをやり取りすることができるようになる。端末は、ＳＲＢ１の再開を完了し、セルにＲＲＣ連結再確立手順が完了したというＲＲＣ連結再確立完了メッセージ（ＲＲＣ  ｃｏｎｎｅｃｔｉｏｎ  ｒｅｅｓｔａｂｌｉｓｈｍｅｎｔ  ｃｏｍｐｌｅｔｅ  ｍｅｓｓａｇｅ）を伝送する（Ｓ８６０）。
【０１９７】
それに対し、端末からＲＲＣ連結再確立要請メッセージを受信し、要請を受諾しなかった場合、セルは、端末にＲＲＣ連結再確立拒絶メッセージ（ＲＲＣ  ｃｏｎｎｅｃｔｉｏｎ  ｒｅｅｓｔａｂｌｉｓｈｍｅｎｔ  ｒｅｊｅｃｔ  ｍｅｓｓａｇｅ）を伝送する。
【０１９８】
ＲＲＣ連結再確立手順が成功的に行われれば、セルと端末は、ＲＲＣ連結再設定手順を行う。これにより、端末は、ＲＲＣ連結再確立手順を行う前の状態を回復し、サービスの連続性を最大限保障する。
【０１９９】
以下では、３ＧＰＰ基盤のアクセスネットワークと他のアクセスネットワークとの間のインターワーキング（ｉｎｔｅｒｗｏｒｋｉｎｇ）について説明する。
【０２００】
３ＧＰＰでは、Ｒｅｌ−８から非−３ＧＰＰアクセスネットワーク（ｅ．ｇ．ＷＬＡＮ）との連動を導入しつつ接続可能なアクセスネットワークを発見し、選択するためのＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎｓ）を規格化した。ＡＮＤＳＦは、端末の位置で接続可能なアクセスネットワーク発見情報（ｅ．ｇ．ＷＬＡＮ、ＷｉＭＡＸ位置情報等）、事業者の政策を反映させることができるシステム間移動性政策（Ｉｎｔｅｒ−Ｓｙｓｔｅｍ  Ｍｏｂｉｌｉｔｙ  Ｐｏｌｉｃｉｅｓ；ＩＳＭＰ）、システム間ルーティング政策（Ｉｎｔｅｒ−Ｓｙｓｔｅｍ  Ｒｏｕｔｉｎｇ  Ｐｏｌｉｃｙ；ＩＳＲＰ）を伝達し、この情報に基づいて端末は、あるＩＰトラフィックをあるアクセスネットワークを経由して伝送するかを決定することができる。ＩＳＭＰは、端末が１つの活性化された（ａｃｔｉｖｅ）アクセスネットワーク連結（例えば、ＷＬＡＮまたは３ＧＰＰ）を選択することに対するネットワーク選択規則を含むことができる。ＩＳＲＰは、端末が潜在的な１つ以上の活性化されたアクセスネットワーク連結（例えば、ＷＬＡＮと３ＧＰＰの両方）を選択することに対するネットワーク選択規則を含むことができる。システム間ルーティング政策には、ＭＡＰＣＯＮ（Ｍｕｌｔｉｐｌｅ  Ａｃｃｅｓｓ  ＰＤＮ  Ｃｏｎｎｅｃｔｉｖｉｔｙ）、ＩＦＯＭ（ＩＰ  Ｆｌｏｗ  Ｍｏｂｉｌｉｔｙ）、非−シームレスＷＬＡＮオフロード（ｎｏｎ−ｓｅａｍｌｅｓｓ  ＷＬＡＮ  ｏｆｆｌｏａｄｉｎｇ）が含まれる。ＡＮＤＳＦと端末との間の動的な伝達（ｄｙｎａｍｉｃ  ｐｒｏｖｉｓｉｏｎ）のために、ＯＭＡ  ＤＭ（Ｏｐｅｎ  Ｍｏｂｉｌｅ  Ａｌｌｉａｎｃｅ  Ｄｅｖｉｃｅ  Ｍａｎａｇｅｍｅｎｔ）などが使用される。
【０２０１】
ＭＡＰＣＯＮは、３ＧＰＰアクセスネットワークと非−３ＧＰＰアクセスネットワークとを経由して同時に複数のパケットデータネットワークに連結（ｍｕｌｔｉｐｌｅ  ＰＤＮ  ｃｏｎｎｅｃｔｉｖｉｔｙ）を設定、維持、及び全体活性化されたＰＤＮ連結（ａｃｔｉｖｅ  ＰＤＮ  ｃｏｎｎｅｃｔｉｏｎ）単位のシームレストラフィックオフロード（ｓｅａｍｌｅｓｓ  ｔｒａｆｆｉｃ  ｏｆｆｌｏａｄｉｎｇ）が可能な技術を規格化したものである。このために、ＡＮＤＳＦサーバは、オフロードを行うＡＰＮ（Ａｃｃｅｓｓ  Ｐｏｉｎｔ  Ｎａｍｅ）情報、アクセスネットワーク間の優先順位（ｒｏｕｔｉｎｇ  ｒｕｌｅ）、オフロード方法が適用される時間（Ｔｉｍｅ  ｏｆ  Ｄａｙ）、そしてオフロードをするアクセスネットワーク（Ｖａｌｉｄｉｔｙ  Ａｒｅａ）情報などを提供する。
【０２０２】
ＩＦＯＭは、ＭＡＰＣＯＮよりは融通性があり、細分化された単位のＩＰフロー単位の移動性及びシームレスオフロード（ｓｅａｍｌｅｓｓ  ｏｆｆｌｏａｄｉｎｇ）を支援する。ＩＦＯＭの技術的特徴は、ＭＡＰＣＯＮと異なり、端末が同じアクセスポイントネーム（ＡＰＮ）を使用してパケットデータネットワークに連結される場合でも、互いに異なるアクセスネットワークを介して接続可能であり、移動性及びオフロードの単位がパケットデータネットワーク（ＰＤＮ）でない、特定サービスＩＰトラフィックフロー単位で移動が可能なようにすることにより、サービス提供の柔軟性を有する。このために、ＡＮＤＳＦサーバは、オフロードを行うＩＰフロー情報、アクセスネットワーク間の優先順位（ｒｏｕｔｉｎｇ  ｒｕｌｅ）、オフロード方法が適用される時間（Ｔｉｍｅ  ｏｆ  Ｄａｙ）、そしてオフロードをするアクセスネットワーク（Ｖａｌｉｄｉｔｙ  Ａｒｅａ）情報などを提供する。
【０２０３】
非−シームレスＷＬＡＮオフロードは、ある特定ＩＰトラフィックの経路をＷＬＡＮに変えることのみでなく、ＥＰＣを経由しないようにトラフィックを完全にオフロードさせる技術をいう。これは、移動性支援のために、Ｐ−ＧＷにアンカーリング（ａｎｃｈｏｒｉｎｇ）をしないので、オフロードされたＩＰトラフィックを再度３ＧＰＰアクセスネットワークに途切れることなく移動させることができない。このために、ＡＮＤＳＦサーバは、端末にＩＦＯＭを行うために提供する情報と類似した情報を提供する。
【０２０４】
図９は、３ＧＰＰアクセスネットワーク及びＷＬＡＮアクセスネットワークが共存する環境の例示を示す図である。
【０２０５】
図９に示すように、３ＧＰＰアクセスネットワークとして、基地局１（９１０）を中心とするセル１と、基地局２（９２０）を中心とするセル２とが展開されている。また、ＷＬＡＮアクセスネットワークとして、セル１内に位置するアクセスポイント（Ａｃｃｅｓｓ  Ｐｏｉｎｔ；ＡＰ）１（９３０）を中心とするＢＳＳ（Ｂａｓｉｃ  Ｓｅｒｖｉｃｅ  Ｓｅｔ）１、ＡＰ２（９４０）を中心とするＢＳＳ２が展開されており、セル２内に存在するＡＰ３（９５０）を中心とするＢＳＳ３が展開されている。セルのカバレッジは、実線で図示されており、ＢＳＳのカバレッジは、点線で図示されている。
【０２０６】
端末９００は、３ＧＰＰアクセスネットワーク及びＷＬＡＮアクセスネットワークを介した通信を行えるように設定されたことと仮定する。この場合、端末９００は、ステーション（ｓｔａｔｉｏｎ）と呼ばれることができるであろう。
【０２０７】
最初に、端末９００は、セル１内でＢＳ１（９１０）と連結を確立して３ＧＰＰアクセスネットワークを介したトラフィック処理をすることができる。
【０２０８】
端末９００がセル１のカバレッジ内で移動中にＢＳＳ１のカバレッジ内に進入し、スキャニングを介してＢＳＳ１を発見することができる。この場合、端末９００は、ＢＳＳ１のＡＰ１（９３０）と結合（ａｓｓｏｃｉａｔｉｏｎ）及び認証（ａｕｔｈｅｎｔｉｃａｔｉｏｎ）手順を行うことにより、ＷＬＡＮアクセスネットワークと連結することができる。これにより、端末９００は、トラフィックを３ＧＰＰアクセスネットワーク及びＷＬＡＮアクセスネットワークを介して処理することができる。一方、端末９００が移動してＢＳＳ１のカバレッジを外れる場合、ＷＬＡＮアクセスネットワークとの連結が終了し得る。
【０２０９】
端末９００がセル１のカバレッジ内で移動し続けて、セル１及びセル２の境界近傍に移動することができ、ＢＳＳ２のカバレッジ内に進入して、スキャニングを介してＢＳＳ２を発見することができる。この場合、端末９００は、ＢＳＳ２のＡＰ２（９４０）と結合及び認証手順を行ってＷＬＡＮアクセスネットワークと連結することができる。一方、ＢＳＳ２のカバレッジ内の端末９００は、セル１及びセル２の境界に位置するので、３ＧＰＰアクセスネットワークを介したサービス品質が良好でないことがある。この場合、端末９００は、ＷＬＡＮアクセスネットワークを介して集中的にトラフィックを処理するように動作することができる。
【０２１０】
端末９００が移動してＢＳＳ２のカバレッジを外れ、セル２の中心部に進入すれば、端末９００は、ＷＬＡＮアクセスネットワークとの連結を終了し、セル２を基盤として３ＧＰＰアクセスネットワークを介してトラフィックを処理することができる。
【０２１１】
端末９００がセル２のカバレッジ内で移動中にＢＳＳ３のカバレッジ内に進入し、スキャニングを介してＢＳＳ１を発見することができる。この場合、端末９００は、ＢＳＳ３のＡＰ３（９５０）と結合及び認証手順を行うことにより、ＷＬＡＮアクセスネットワークと連結することができる。これにより、端末９００は、トラフィックを３ＧＰＰアクセスネットワーク及びＷＬＡＮアクセスネットワークを介して処理することができる。
【０２１２】
図９の例示のように、３ＧＰＰアクセスネットワークと非−３ＧＰＰアクセスネットワークとが共存する無線通信環境において、端末は、適応的に３ＧＰＰアクセスネットワーク及び／又は非−３ＧＰＰアクセスネットワークを介してトラフィックを処理することができる。
【０２１３】
一方、３ＧＰＰアクセスネットワークで送受信されているか、或いは、送受信される一部または全部のトラフィックを非−３ＧＰＰアクセスネットワークにオフロードするためには、端末が自分の周囲にある非−３ＧＰＰアクセスネットワークを把握する必要がある。非−３ＧＰＰアクセスネットワークの１つであるＷＬＡＮアクセスネットワークの場合、サービスカバレッジが３ＧＰＰアクセスネットワークのマクロセルのカバレッジよりずっと小さい。したがって、ＷＬＡＮアクセスネットワークのサービスカバレッジを発見し、これにより、トラフィックをオフロードするために端末は、ＷＬＡＮ通信のためのモジュールの電源をつけておき、持続的なスキャニングをするようになる。これは、端末電力を持続的に消費させることになるという問題を生じる恐れがある。
【０２１４】
一方、端末が３ＧＰＰアクセスネットワークのトラフィックを非−３ＧＰＰアクセスネットワークにオフロードすることにあたって、容量や品質の側面でオフロードを介した利得を得ることができる３ＧＰＰ−アクセスネットワークを選択することが重要でありうる。不適合な非−３ＧＰＰアクセスネットワークを選択することになると、トラフィックオフロードを介したサービスの品質が低下するか、サービスが中断される問題が生じ得るためである。
【０２１５】
上記のような点を考慮して、本発明では、端末に非−３ＧＰＰアクセスネットワークと関連した情報を提供することを提案する。以下では、非−３ＧＰＰアクセスネットワークと関連した情報を端末に提供することに基づいた通信方法を説明するにあたって、非−３ＧＰＰアクセスネットワークがＷＬＡＮアクセスネットワークであることを例示として説明する。ただし、本発明の範囲はこれに限定されず、その他の異なるアクセスネットワークと関連した端末の通信にも適用されることができるであろう。
【０２１６】
図１０は、本発明の実施形態に係る通信方法を示すフローチャートである。
【０２１７】
図１０に示すように、端末は、ＷＬＡＮサービス情報を受信する（Ｓ１０１０）。ＷＬＡＮサービス情報は、３ＧＰＰアクセスネットワークから伝送されることができる。
【０２１８】
ＷＬＡＮサービス情報は、３ＧＰＰアクセスネットワークからのブロードキャストシグナリングを介して端末に提供されることができる。例えば、３ＧＰＰアクセスネットワークは、ＷＬＡＮサービス情報を含むシステム情報をブロードキャストすることができる。
【０２１９】
ＷＬＡＮサービス情報は、３ＧＰＰアクセスネットワークからの専用シグナリングを介して端末に提供されることができる。例えば、３ＧＰＰアクセスネットワークは、ＷＬＡＮサービス情報を含むＲＲＣメッセージを端末に伝送することができる。
【０２２０】
複数の事業者によって３ＧＰＰアクセスネットワークが共有されている環境で、ＷＬＡＮサービス情報は、各ＰＬＭＮ別に提供されることができる。この場合、端末には、ＷＬＡＮサービス情報のリストが提供され得るし、各ＷＬＡＮサービス情報は、３ＧＰＰアクセスネットワークによりシグナリングされるＰＬＭＮリスト内のＰＬＭＮ順序にしたがって各ＰＬＭＮと連関されることができる。例えば、１番目のＷＬＡＮサービス情報は、ＰＬＭＮリストの１番目のＰＬＭＮと連関され、２番目のＷＬＡＮサービス情報は、ＰＬＭＮリストの２番目のＰＬＭＮと連関され、その後にも順次的に連関されることができる。
【０２２１】
ＷＬＡＮサービス情報は、関心ＷＬＡＮに関する情報（ｃｏｎｃｅｒｎｅｄ  ＷＬＡＮ  ｉｎｆｏｒｍａｔｉｏｎ）及び／又はＷＬＡＮサービス情報の有効性と関連した有効性情報（ｖａｌｉｄｉｔｙ  ｉｎｆｏｒｍａｔｉｏｎ）を含むことができる。
【０２２２】
関心ＷＬＡＮとは、端末の接近が許容されたＷＬＡＮアクセスネットワークエンティティーでありうる。関心ＷＬＡＮとは、端末の３ＧＰＰアクセスネットワーク上のトラフィックを処理することが許容されるＷＬＡＮアクセスネットワークエンティティーでありうる。関心ＷＬＡＮとは、端末の接近が許容され、端末の３ＧＰＰアクセスネットワーク上のトラフィックを処理することが許容されるＷＬＡＮアクセスネットワークエンティティーでありうる。関心ＷＬＡＮ情報は、下記のような細部的な情報を含むことができる。
【０２２３】
１）関心ＷＬＡＮの識別子リスト
【０２２４】
関心ＷＬＡＮ情報は、関心ＷＬＡＮの識別子リストを含むことができる。ＷＬＡＮの識別子リストに含まれる識別子は、下記のとおりでありうる。
【０２２５】
・ＷＬＡＮ  ＳＳＩＤ（Ｓｅｒｖｉｃｅ  Ｓｅｔ  Ｉｄｅｎｔｉｆｉｅｒ）：ＳＳＩＤは、複数のＢＳＳ内で重複して使用されることができる。
【０２２６】
・ＷＬＡＮ  ＢＳＳＩＤ（Ｂａｓｉｃ  Ｓｅｒｖｉｃｅ  Ｓｅｔ  Ｉｄｅｎｔｉｆｉｅｒ）：ＢＳＳＩＤは、特定ＡＰにより管理されるＢＳＳを識別させる情報であって、一般的に、当該ＡＰのＭＡＣ住所として設定されることができる。
【０２２７】
・ＨＥＳＳＩＤ（Ｈｏｍｏｇｅｎｅｏｕｓ  ＥｘｔｅｎｄｅｄＳｅｒｖｉｃｅ  Ｓｅｔ  Ｉｄｅｎｔｉｆｉｅｒ）：ＡＰ等のうち、１つのＢＳＳＩＤと同じ値としてホットスポット事業者（ｈｏｔｓｐｏｔ  ｏｐｅｒａｔｏｒ）により設定された識別子であって、ＭＡＣ住所の形態で設定されることができる。ホットスポットネットワークでの全てのＡＰは、同じＨＥＳＳＩＤ値の設定を受けることができる。
【０２２８】
・ドメイン名前リスト（ｄｏｍａｉｎ  ｎａｍｅ  ｌｉｓｔ）：ＷＬＡＮアクセスネットワークエンティティーの１つ以上のドメイン名前を含むことができる。
【０２２９】
２）関心ＷＬＡＮの優先順位
【０２３０】
端末には、関心ＷＬＡＮと関連した優先順位に関する情報が提供され得る。優先順位は、関心ＷＬＡＮリストと連関されて設定されることができる。複数の関心ＷＬＡＮが発見された場合、端末は、優先順位によって連結するＷＬＡＮアクセスネットワークを選択することができる。
【０２３１】
３）地理的領域情報（ｇｅｏｍｅｔｒｉｃ  ａｒｅａ  ｉｎｆｏｒｍａｔｉｏｎ）
【０２３２】
関心ＷＬＡＮと関連した地理的領域に関する情報が端末に提供され得る。端末は、地理的領域情報によって関心ＷＬＡＮアクセスネットワークを探索することができる。すなわち、端末は、地理的領域情報により指示される領域内に自分が位置すると決定した場合、ＷＬＡＮアクセスネットワークの探索を開始することができる。
【０２３３】
一方、端末は、探索を介して発見されたＷＬＡＮアクセスネットワークエンティティーが地理的領域情報により指示された領域の外部に位置するとして、当該ＷＬＡＮアクセスネットワークエンティティーを関心ＷＬＡＮから排除しないことができる。すなわち、地理的領域情報は、発見されたＷＬＡＮアクセスネットワークエンティティーがトラフィックオフロードのための有効であるエンティティーである関心ＷＬＡＮであるか否かの基準でない、ＷＬＡＮ探索実行のための基準として使用されることができる。
【０２３４】
地理的領域情報は、地理的座標情報として実現されることができ、この場合、地理的領域情報は、緯度、経度、高度、及び半径のうち、少なくとも１つを含むことができる。例えば、地理的領域情報は、緯度、経度により特定された地点を中心として半径内の領域を特定することができる。さらに他の例として、地理的領域情報は、緯度、経度、高度により特定された地点を中心として半径内の領域を特定することができる。
【０２３５】
４）チャネル／周波数情報
【０２３６】
関心ＷＬＡＮのチャネル／周波数に関する情報が端末に提供され得る。ここで、チャネル／周波数は、３ＧＰＰアクセスネットワークで議論されるチャネルと異なり、特定周波数帯域及び帯域幅を有する物理的な媒体に該当し、以下において、３ＧＰＰアクセスネットワークでのチャネルと区別するために、ＷＬＡＮチャネルという。チャネル情報は、関心ＷＬＡＮ識別子リストと関連して各識別子別のチャネル／周波数をシグナリングするように実現されることができる。
【０２３７】
５）ＷＬＡＮチャネル優先順位
【０２３８】
ＷＬＡＮサービス情報内でシグナリングされるＷＬＡＮチャネルに対する優先順位が端末に提供され得る。端末は、複数のＷＬＡＮチャネルに対する探索を行うにあたって、ＷＬＡＮチャネルと連関した優先順位のとおりにＷＬＡＮを探索することができる。
【０２３９】
６）ＷＬＡＮモジュール運営指示子
【０２４０】
ＷＬＡＮサービス情報は、端末がＷＬＡＮモジュールの電源をつけてＷＬＡＮ運営を開始するか否かを指示するＷＬＡＮモジュール運営指示子を含むことができる。端末は、ＷＬＡＮモジュール運営指示子の指示にしたがってＷＬＡＮ信号を測定し、ＷＬＡＮ探索するためのＷＬＡＮモジュールを活性化するか否かを決定することができる。
【０２４１】
７）ＷＬＡＮ結合、認証／保安（ｓｅｃｕｒｉｔｙ）情報
【０２４２】
ＷＬＡＮサービス情報は、端末の結合／認証手順実行のための結合情報及び認証／保安情報を含むことができる。
【０２４３】
結合情報は、全てのＡＰまたは全てのサービスセット（ｅ．ｇ．ＢＳＳ、ＥＳＳ）に共通的に適用されるか、或いは、ＡＰまたはサービスセット（ＢＳＳ、ＥＳＳ）別に適用されるものでありうる。結合情報がＷＬＡＮサービス情報を介して端末に提供されれば、結合情報が適用され得るＡＰまたはサービスセットの発見の際、端末は、該当するＡＰまたはサービスセットと結合手順を行うことが許容され得る。
【０２４４】
認証／保安情報は、全てのＡＰまたはモードサービスセット（ｅ．ｇ．ＢＳＳ、ＥＳＳ）に共通的に適用されるか、或いは、ＡＰまたはサービスセット（ＢＳＳ、ＥＳＳ）別に適用されるものでありうる。認証／保安情報がＷＬＡＮサービス情報を介して端末に提供されれば、結合情報が適用され得るＡＰまたはサービスセット発見の際、端末は、該当するＡＰまたはサービスセットと認証手順を行うことが許容され得る。
【０２４５】
ＷＬＡＮサービス情報に含まれた有効性情報は、端末がＷＬＡＮサービス情報の有効性を判断するための細部的な情報を含むことができ、下記のように定義されることができる。
【０２４６】
１）ＷＬＡＮサービス情報の有効持続時間
【０２４７】
有効性情報は、ＷＬＡＮサービス情報が有効である持続時間を指示することができる。この場合、ＷＬＡＮサービス情報は、端末がＷＬＡＮサービス情報を受信した時点から有効性情報により指示される持続時間の間、有効であると考慮され得る。有効持続時間が満了すると、端末は、ＷＬＡＮサービス情報がそれ以上有効でないことと考慮し、ＷＬＡＮサービス情報を廃棄することができる。有効性情報により指示される持続時間は、特定時間値（ｅ．ｇ．秒／分／時）で設定されることができる。
【０２４８】
一方、有効性情報は、ＷＬＡＮサービス情報が持続時間により有効性が決定され得ることを指示するように設定されることができる。この場合、持続時間は、デフォルト値で端末に与えられることができ、端末は、ＷＬＡＮサービス情報の取得時点からデフォルト値の持続時間の間、ＷＬＡＮサービス情報が有効であると考慮することができる。
【０２４９】
一方、有効性情報は、絶対的な特定時点を指示するように実現されることができ、この場合、端末は、当該時点以前にはＷＬＡＮサービス情報が有効であると考慮することができる。
【０２５０】
２）ＷＬＡＮサービス情報の有効領域
【０２５１】
有効性情報は、ＷＬＡＮサービス情報が有効である領域を指示することができる。有効領域は、下記のように特定され得る。
【０２５２】
・端末が受信したＷＬＡＮサービス情報は、受信の際、３ＧＰＰアクセスネットワーク上のサービングセル内のみで有効であると考慮され得る。端末の移動によってサービングセルが変更される場合、新しいサービングセルにキャンプオン中である端末は、ＷＬＡＮサービス情報が有効でないと考慮することができる。
【０２５３】
・端末が受信したＷＬＡＮサービス情報は、３ＧＰＰアクセスネットワーク上の特定セル等内のみで有効であると考慮され得る。この場合、有効性情報は、当該セル等のリストを含むことができる。
【０２５４】
・端末が受信したＷＬＡＮサービス情報は、特定領域内のみで有効であると考慮され得る。この場合、有効性情報は、ＷＬＡＮサービス情報が有効であるトラッキング領域のリスト、位置領域（ｌｏｃａｔｉｏｎ  ａｒｅａ）リスト、及びルーティング領域（ｒｏｕｔｉｎｇ  ａｒｅａ）リストのうち、少なくとも１つを含むことができる。
【０２５５】
・端末が受信したＷＬＡＮサービス情報は、特定ＰＬＭＮのセルのみで有効であると考慮され得る。この場合、有効性情報は、ＷＬＡＮサービス情報が有効であるＰＬＭＮのリストを含むことができる。
【０２５６】
以上において、ＷＬＡＮサービス情報の有効性の基準と、有効性情報の実現について説明した。一方、ＷＬＡＮサービス情報の有効性は、少なくとも１つ以上の有効性基準によって決定され得る。例えば、ＷＬＡＮサービス情報の有効性は、持続時間と特定セルリスト内のセル等によって決定されることができ、ＷＬＡＮサービス情報は、セルリスト内のセルに端末がキャンプオンしており、持続時間満了以前である場合に有効であると考慮され得る。少なくとも１つ以上の有効性基準が適用される場合、有効性情報も該当する少なくとも１つ以上の有効性基準を指示できるように設定されることができる。
【０２５７】
以上において、ＷＬＡＮサービス情報内には有効性情報が含まれて提供されたが、有効性情報の明示的な提供無しに端末はＷＬＡＮサービス情報の有効性を判断することができる。この場合、端末には、予めＷＬＡＮサービス情報の有効性判断基準が提供／設定され、端末は、ＷＬＡＮサービス情報を受信すれば、当該情報の有効性を予め提供／設定された基準によって判断することができる。
【０２５８】
さらに、図１０に示すように、ＷＬＡＮサービス情報を受信した端末は、ＷＬＡＮサービス情報の有効性を判断する（Ｓ１０２０）。
【０２５９】
ＷＬＡＮサービス情報内に有効性情報が含まれる場合、端末は、有効性情報に基づいてＷＬＡＮサービスの有効可否を判断することができる。有効性情報は、ＷＬＡＮサービス情報が有効である時間及び／又はＷＬＡＮサービスが有効である領域を指示するように設定されることができ、具体的な判断方式は前述したので、詳細な説明を省略する。
【０２６０】
ＷＬＡＮサービス情報内に有効性情報が含まれない場合、端末は、予め設定された有効性判断基準によってＷＬＡＮサービスの有効可否を判断することができる。端末には、ＷＬＡＮサービス情報が有効である時間及び／又は有効である領域と関連した基準が予め設定されていることができ、端末は、これを使用して受信されたＷＬＡＮサービス情報の有効性を判断することができる。
【０２６１】
ＷＬＡＮサービス情報が有効であると判断された場合、端末は、ＷＬＡＮアクセスネットワークを介したトラフィック処理が可能であるか判断し、可能である場合、これにより、トラフィックを処理しようと決定することができる。このために、端末は、ＷＬＡＮアクセスネットワークを介した通信のためのＷＬＡＮモジュールを活性化させ、ＷＬＡＮ探索を開始することと決定することができる。
【０２６２】
追加的に端末は、関心ＷＬＡＮ情報に含まれた地理的領域情報により特定された領域内に位置し、ＷＬＡＮサービス情報が有効である場合、ＷＬＡＮアクセスネットワークを介したトラフィック処理の可能可否及び可能なとき、これによるトラフィック処理を行うことと決定することができる。このために、端末は、ＷＬＡＮ探索動作を開始することと決定することができる。
【０２６３】
ＷＬＡＮサービス情報が有効でないと判断された場合、ＷＬＡＮアクセスネットワークを介したトラフィック処理可能可否を判断しない。したがって、端末は、ＷＬＡＮ探索動作を行わないことができる。ＷＬＡＮサービス情報が過去に有効であったが、現在、それ以上有効でなければ、端末は、それ以上ＷＬＡＮ探索動作を行わないことができる。また、ＷＬＡＮアクセスネットワークを介した通信のためのＷＬＡＮモジュールを非活性化させることができる。この場合、端末は、３ＧＰＰアクセスネットワークを介して３ＧＰＰ上のトラフィックを処理することができる（Ｓ１０６０）。
【０２６４】
有効であるＷＬＡＮサービス情報を有した端末は、ＷＬＡＮ探索を行う（Ｓ１０３０）。ＷＬＡＮ探索は、端末の周辺に存在するＷＬＡＮアクセスネットワークエンティティーを探す動作でありうる。このために、端末は、スキャニングを行うことができる。スキャニング動作は、ＷＬＡＮで定義された手動スキャニング及び／又は能動スキャニングによって行われることができる。
【０２６５】
手動スキャニングによって、端末は、ＷＬＡＮアクセスネットワークエンティティーから伝送されるビーコンフレーム（ｂｅａｃｏｎ  ｆｒａｍｅ）受信を介してＷＬＡＮアクセスネットワークエンティティーを発見することができる。端末は、ビーコンフレームを伝送しているＡＰ及び／又は非−ＡＰステーションを発見することができる。ＡＰ及び／又は非−ＡＰステーションからブロードキャストされるビーコンフレームには、ＷＬＡＮシステム情報の全部または一部が含まれている。より詳細には、当該ＡＰ及び／又は非−ＡＰステーションに対するＷＬＡＮアクセスネットワークエンティティーに対する識別情報として、ＢＳＳＩＤ、ＳＳＩＤ、ＨＥＳＳＩＤなどがビーコンフレームに含まれ得る。また、ＷＬＡＮアクセスネットワークエンティティーにより支援され得る能力値情報がビーコンフレームに含まれ得る。
【０２６６】
能動スキャニングによって、端末は、プローブ要請フレーム（ｐｒｏｂｅ  ｒｅｑｕｅｓｔ  ｆｒａｍｅ）を伝送することができる。プローブ要請フレームは、ブロードキャスト方式で伝送されることができる。端末は、プローブ要請フレームに対する応答として、特定ＷＬＡＮアクセスネットワークエンティティーからプローブ応答フレーム（ｐｒｏｂｅ  ｒｅｓｐｏｎｓｅ  ｆｒａｍｅ）を受信し、当該ＷＬＡＮアクセスネットワークエンティティーを発見することができる。端末は、プローブ応答フレームを伝送したＡＰ及び／又は非−ＡＰステーションを発見することができる。一方、端末は、プローブ要請フレームをブロードキャストすることにあたって、ＷＬＡＮサービス情報で定義しているチャネル／周波数優先順位によってプローブ要請フレームを少なくとも１つのチャネル／周波数を介して伝送することができる。ＡＰ及び／又は非−ＡＰステーションから伝送されるプローブ応答フレームには、ＷＬＡＮシステム情報の全部または一部が含まれている。より詳細には、当該ＡＰ及び／又は非−ＡＰステーションに対するＷＬＡＮアクセスネットワークエンティティーに対する識別情報として、ＢＳＳＩＤ、ＳＳＩＤ、ＨＥＳＳＩＤなどがプローブ応答フレームに含まれ得る。また、ＷＬＡＮアクセスネットワークエンティティーにより支援され得る能力値情報がプローブ応答フレームに含まれ得る。
【０２６７】
端末は、ＷＬＡＮ探索を介して発見されたＷＬＡＮアクセスネットワークが端末の３ＧＰＰ上のトラフィックを処理できる関心ＷＬＡＮに該当するか否かを決定する（Ｓ１０４０）。すなわち、端末は、発見されたＷＬＡＮアクセスネットワークエンティティーが３ＧＰＰアクセスネットワーク上のトラフィックの処理が許容された／可能なＷＬＡＮアクセスネットワークエンティティーであるか否かを判断する。
【０２６８】
端末は、ＷＬＡＮアクセスネットワークが関心ＷＬＡＮに該当するか否かを決定するにあたって、ＷＬＡＮサービス情報の関心ＷＬＡＮ情報を活用することができる。例えば、発見されたＷＬＡＮの識別子が関心ＷＬＡＮ情報内の関心ＷＬＡＮ識別子リストに含まれると、端末は、発見されたＷＬＡＮが関心ＷＬＡＮに該当すると決定することができる。例えば、発見されたＡＰまたはＢＳＳの識別子のＢＳＳＩＤが関心ＷＬＡＮ情報のＢＳＳＩＤリストに含まれた場合、端末は、当該ＡＰまたはＢＳＳが関心ＷＬＡＮに該当すると決定することができる。
【０２６９】
追加的に端末は、発見されたＷＬＡＮが関心ＷＬＡＮの該当可否を判断するにあたって、発見されたＷＬＡＮの信号レベル測定値、３ＧＰＰアクセスネットワークの信号レベル測定値、ＷＬＡＮのトラフィック負荷レベル、及び３ＧＰＰアクセスネットワークのトラフィック負荷レベルのうち、１つ以上を追加で考慮することができる。例えば、ＷＬＡＮの信号レベル測定値が特定域値以上であれば、当該ＷＬＡＮは、関心ＷＬＡＮであることと決定されることができる。ＷＬＡＮのトラフィック負荷レベルが特定域値以下であれば、当該ＷＬＡＮは、関心ＷＬＡＮであることと決定されることができる。３ＧＰＰ信号レベル測定値が特定域値以下であれば、当該ＷＬＡＮは、関心ＷＬＡＮであることと決定されることができる。３ＧＰＰトラフィック負荷が特定域値以上であれば、当該ＷＬＡＮは、関心ＷＬＡＮであることと決定されることができる。
【０２７０】
端末は、発見されたＷＬＡＮアクセスネットワークエンティティーが、端末が支援できるＷＬＡＮ能力値に該当するか否かによってＷＬＡＮが関心ＷＬＡＮであるか否かを決定することができる。発見されたＷＬＡＮアクセスネットワークエンティティーに関する情報は、当該エンティティーから伝送されるビーコンフレーム、プローブ応答フレーム、結合手順中に伝送される結合応答フレームに含まれて端末に提供され得る。端末は、これにより、自分が支援できるＷＬＡＮに該当するか確認し、支援できれば、当該エンティティーを関心ＷＬＡＮであることと決定することができる。
【０２７１】
端末は、発見されたＷＬＡＮアクセスネットワークエンティティーとの結合／認証実行結果によって、当該ＷＬＡＮが関心ＷＬＡＮであるか否かを決定することができる。発見されたＷＬＡＮアクセスネットワークエンティティーと結合／認証が成功的に行われれば、関心ＷＬＡＮに該当することと決定することができる。
【０２７２】
発見されたＷＬＡＮが関心ＷＬＡＮと決定された場合、端末は、関心ＷＬＡＮに接近し、３ＧＰＰ／ＷＬＡＮアクセスネットワークを介して３ＧＰＰ上のトラフィックを処理することができる（Ｓ１０５０）。端末が関心ＷＬＡＮアクセスネットワークエンティティーに接近することは、該当するＡＰと結合及び認証手順を行うことを含むことができる。結合手順は、端末がＷＬＡＮアクセスネットワークエンティティーに結合要請フレームを伝送し、これに対する応答として、ＡＰから結合応答フレームを受信することにより行われることができる。認証手順は、端末とＷＬＡＮアクセスネットワークエンティティーとの間の認証フレーム（ａｕｔｈｅｎｔｉｃａｔｉｏｎ  ｆｒａｍｅ）の送受信を介して行われることができる。
【０２７３】
３ＧＰＰ／ＷＬＡＮアクセスネットワークを介して３ＧＰＰ上のトラフィックを処理することは、一部及び／又は全てのトラフィックを３ＧＰＰまたはＷＬＡＮアクセスネットワークを介して処理することを含むことができる。端末は、全てのトラフィックを３ＧＰＰアクセスネットワークを介して処理したり、ＷＬＡＮアクセスネットワークを介して処理することができる。または、端末は、一部のトラフィックを３ＧＰＰアクセスネットワークを介して処理し、残りのトラフィックをＷＬＡＮアクセスネットワークを介して処理することができる。
【０２７４】
端末は、３ＧＰＰアクセスネットワークの信号レベル、負荷状況、及びＷＬＡＮアクセスネットワークの信号レベル、負荷状況に基づいてトラフィックを処理することができる。例えば、３ＧＰＰアクセスネットワークの信号レベルが弱く、ＷＬＡＮアクセスネットワークの信号レベルが良好である場合、端末は、ＷＬＡＮアクセスネットワークを介して全てのトラフィックを処理するか、またはＷＬＡＮアクセスネットワークを介して処理されるトラフィックの量を増加させることができる。さらに他の例示として、３ＧＰＰアクセスネットワークの負荷が多く、ＷＬＡＮアクセスネットワークの負荷が低い場合、端末は、ＷＬＡＮアクセスネットワークを介して全てのトラフィックを処理するか、またはＷＬＡＮアクセスネットワークを介して処理されるトラフィックの量を増加させることができる。すなわち、端末は、３ＧＰＰアクセスネットワーク及びＷＬＡＮアクセスネットワークのサービス提供環境に基づいて適応的にトラフィックを処理することができる。
【０２７５】
発見されたＷＬＡＮが関心ＷＬＡＮに該当しないことと決定された場合、端末は、関心ＷＬＡＮに接近せずに、３ＧＰＰアクセスネットワークを介して３ＧＰＰ上のトラフィックを処理することができる（Ｓ１０６０）。
【０２７６】
図１１は、本発明の実施形態に係る通信方法の一例を示す図である。
【０２７７】
図１１に示すように、端末は、ＬＴＥを基盤とした通信及びＷＬＡＮを基盤とした通信の両方を支援することと仮定し、ＬＴＥ及びＷＬＡＮ通信は、独立的になされることができると仮定する。端末は、ＬＴＥ基盤のセル１にキャンプオンしているか、及び／又はセル１と連結を確立してサービスの提供を受けていることと仮定する。ＢＳＳ１及びＢＳＳｘは、セル１のカバレッジ内に展開されたことと仮定する。
【０２７８】
端末は、セル１からＷＬＡＮサービス情報を受信する（Ｓ１１１０）。ＷＬＡＮサービス情報は、セル１がブロードキャストするシステム情報に含まれて伝送されることができる。ＷＬＡＮサービス情報は、セル１からＲＲＣメッセージに含まれて端末に伝送されることができる。
【０２７９】
ＷＬＡＮサービス情報は、関心ＷＬＡＮ情報を含むことができ、関心ＷＬＡＮ情報は、ＢＳＳ１のＢＳＳＩＤを含む関心ＷＬＡＮの識別子リストを含むことができる。
【０２８０】
ＷＬＡＮサービス情報は、有効性情報を含むことができ、有効性情報は、ＷＬＡＮサービス情報がセル１内で有効であると指示することができる。
【０２８１】
端末は、受信したＷＬＡＮサービス情報の有効性を判断する（Ｓ１１２０）。端末は、セル１にキャンプオン中であるので、ＷＬＡＮサービス情報が有効であると決定することができる。これにより、端末は、ＷＬＡＮアクセスネットワーク探索を開始することができる。
【０２８２】
端末は、ＷＬＡＮアクセスネットワーク探索のためにスキャニングを行う（Ｓ１１３０）。端末は、手動スキャニングを行うことができる。手動スキャニングを介して端末は、ＢＳＳｘのＡＰから伝送されるビーコンフレームを受信することにより、ＢＳＳｘを発見することができる。ビーコンフレームには、ＢＳＳｘのＢＳＳＩＤ及びＢＳＳｘ内のＷＬＡＮ運営のためのシステム情報が含まれ得る。
【０２８３】
端末は、ＷＬＡＮサービス情報に基づいてＢＳＳｘが関心ＷＬＡＮに該当するか否かを判断する（Ｓ１１４０）。ＢＳＳｘのＢＳＳＩＤが関心ＷＬＡＮ情報の関心ＷＬＡＮ識別子リストに含まれていないので、端末は、ＢＳＳｘが関心ＷＬＡＮに該当しないことと決定することができる。
【０２８４】
端末は、ＷＬＡＮアクセスネットワーク探索のためにスキャニングを行う（Ｓ１１５０）。端末は、手動スキャニングを行うことができる。スキャニングを介して端末は、ＢＢＳ１のＡＰから伝送されるビーコンフレームを受信することにより、ＢＳＳ１を発見することができる。ビーコンフレームには、ＢＳＳ１のＢＳＳＩＤ及びＢＳＳ１内のＷＬＡＮ運営のためのシステム情報が含まれ得る。
【０２８５】
端末は、ＷＬＡＮサービス情報に基づいてＢＳＳ１が関心ＷＬＡＮに該当するか否かを判断する（Ｓ１１６０）。ＢＳＳ１のＢＳＳＩＤが関心ＷＬＡＮ情報の関心ＷＬＡＮ識別子リストに含まれているので、端末は、ＢＳＳ１が関心ＷＬＡＮに該当することと決定することができる。
【０２８６】
端末は、ＢＳＳ１内でＷＬＡＮ通信を行うために、結合／認証手順を行う（Ｓ１１７０）。端末は、ＢＳＳ１のＡＰと認証フレームを送受信し、結合要請フレーム、結合応答フレームを交換することにより、認証、結合手順を行うことができる。
【０２８７】
端末は、セル１及び／又はＢＳＳ１のＡＰを介してトラフィックを処理する（Ｓ１１８０）。端末は、既存のセル１内で基地局を介してトラフィックを処理することができる。ＡＰと結合された端末は、ＡＰとのフレーム交換を介して３ＧＰＰ上のトラフィックを処理することができる。端末が全体トラフィックのうち、ある程度のトラフィックをＷＬＡＮアクセスネットワークを介して処理するか否かは、セル１及びＢＳＳ１内でサービス環境によって適応的に決定され得る。
【０２８８】
図１２は、本発明の実施形態に係る通信方法の他の一例を示す図である。
【０２８９】
図１２に示すように、端末は、ＬＴＥを基盤とした通信及びＷＬＡＮを基盤とした通信の両方を支援することと仮定し、ＬＴＥ及びＷＬＡＮ通信は、独立的になされることができることと仮定する。端末は、ＬＴＥ基盤のセル１にキャンプオンしているか、及び／又はセル１と連結を確立してサービスの提供を受けていることと仮定する。ＢＳＳ１及びＢＳＳｘは、セル２のカバレッジ内に展開されたことと仮定する。
【０２９０】
端末は、セル１からＷＬＡＮサービス情報を受信する（Ｓ１２１０）。ＷＬＡＮサービス情報は、セル１がブロードキャストするシステム情報に含まれて伝送されることができる。ＷＬＡＮサービス情報は、セル１からＲＲＣメッセージに含まれて端末に伝送されることができる。
【０２９１】
ＷＬＡＮサービス情報は、関心ＷＬＡＮ情報を含むことができ、関心ＷＬＡＮ情報は、ＢＳＳ１のＢＳＳＩＤを含む関心ＷＬＡＮの識別子リストを含むことができる。
【０２９２】
ＷＬＡＮサービス情報は、有効性情報を含むことができ、有効性情報は、ＷＬＡＮサービス情報がセル１及びセル２内で有効であると指示することができる。
【０２９３】
端末は、受信したＷＬＡＮサービス情報の有効性を判断する（Ｓ１２２０）。端末は、セル１にキャンプオン中であるから、ＷＬＡＮサービス情報が有効であると決定することができる。これにより、端末は、ＷＬＡＮアクセスネットワーク探索を開始することと決定することができる。
【０２９４】
端末は、セル１からセル２に移動する（Ｓ１２３０）。端末の移動は、ハンドオーバーまたはセル再選択を介して行われることができ、端末は、セル２にキャンプオンし、また、セル２と連結確立を行うことができる。セル２に移動した端末は、依然としてＷＬＡＮサービス情報が有効であるか否かを確認することができ、有効性情報を介してセル２内でもＷＬＡＮサービス情報が有効であると決定することができる。
【０２９５】
端末は、ＷＬＡＮアクセスネットワーク探索のためにスキャニングを行う（Ｓ１２４０）。端末は、能動スキャニングを行うことができる。能動スキャニングのために端末は、プローブ要請フレームをブロードキャストすることができる（Ｓ１２４１）。プローブ要請フレームを受信したＢＳＳｘは、これに対する応答としてプローブ応答フレームを端末に伝送する（Ｓ１２４２）。これにより、端末は、ＢＳＳｘを発見することができる。プローブ応答フレームには、ＢＳＳｘのＢＳＳＩＤ及びＢＳＳｘ内のＷＬＡＮ運営のためのシステム情報が含まれ得る。
【０２９６】
端末は、ＷＬＡＮサービス情報に基づいてＢＳＳｘが関心ＷＬＡＮに該当するか否かを判断する（Ｓ１２５０）。ＢＳＳｘのＢＳＳＩＤが関心ＷＬＡＮ情報の関心ＷＬＡＮ識別子リストに含まれていないので、端末は、ＢＳＳｘが関心ＷＬＡＮに該当しないことと決定することができる。
【０２９７】
端末は、ＷＬＡＮアクセスネットワーク探索のためにスキャニングを行う（Ｓ１２６０）。端末は、能動スキャニングを行うことができる。能動スキャニングのために端末は、プローブ要請フレームをブロードキャストすることができる（Ｓ１２６１）。プローブ要請フレームを受信したＢＳＳ１は、これに対する応答としてプローブ応答フレームを端末に伝送する（Ｓ１２６２）。これにより、端末は、ＢＳＳ１を発見することができる。プローブ応答フレームには、ＢＳＳ１のＢＳＳＩＤ及びＢＳＳ１内のＷＬＡＮ運営のためのシステム情報が含まれ得る。
【０２９８】
端末は、ＷＬＡＮサービス情報に基づいてＢＳＳ１が関心ＷＬＡＮに該当するか否かを判断する（Ｓ１２７０）。ＢＳＳ１のＢＳＳＩＤが関心ＷＬＡＮ情報の関心ＷＬＡＮ識別子リストに含まれているので、端末は、ＢＳＳ１が関心ＷＬＡＮに該当することと決定することができる。
【０２９９】
端末は、ＢＳＳ１内でＷＬＡＮ通信を行うために、結合／認証手順を行う（Ｓ１２８０）。端末は、ＢＳＳ１のＡＰと認証フレームを送受信し、結合要請フレーム、結合応答フレームを交換することにより、認証、結合手順を行うことができる。
【０３００】
端末は、セル１及び／又はＢＳＳ１のＡＰを介してトラフィックを処理する（Ｓ１２９０）。端末は、既存のセル１内で基地局を介してトラフィックを処理することができる。ＡＰと結合された端末は、ＡＰとのフレーム交換を介して３ＧＰＰ上のトラフィックを処理することができる。端末が全体トラフィックのうち、ある程度のトラフィックをＷＬＡＮアクセスネットワークを介して処理するか否かは、セル１及びＢＳＳ１内でサービス環境によって適応的に決定され得る。
【０３０１】
図１３は、本発明の実施形態に係る通信方法のさらに他の一例を示す図である。
【０３０２】
図１３に示すように、端末は、ＬＴＥを基盤とした通信及びＷＬＡＮを基盤とした通信の両方を支援することと仮定し、ＬＴＥ及びＷＬＡＮ通信は、独立的になされることができることと仮定する。端末は、ＬＴＥ基盤のセル１にキャンプオンしているか、及び／又はセル１と連結を確立してサービスの提供を受けていることと仮定する。ＢＳＳ１は、セル１のカバレッジ内に展開されたことと仮定する。
【０３０３】
端末は、セル１からＷＬＡＮサービス情報を受信する（Ｓ１３１０）。ＷＬＡＮサービス情報は、セル１がブロードキャストするシステム情報に含まれて伝送されることができる。ＷＬＡＮサービス情報は、セル１からＲＲＣメッセージに含まれて端末に伝送されることができる。
【０３０４】
ＷＬＡＮサービス情報は、関心ＷＬＡＮ情報を含むことができ、関心ＷＬＡＮ情報は、ＢＳＳ１のＢＳＳＩＤを含む関心ＷＬＡＮの識別子リストを含むことができる。
【０３０５】
ＷＬＡＮサービス情報は、有効性情報を含むことができ、有効性情報は、ＷＬＡＮサービス情報がセル１内で有効であると指示することができる。
【０３０６】
端末は、受信したＷＬＡＮサービス情報の有効性を判断する（Ｓ１３２１）。端末は、セル１にキャンプオン中であるから、ＷＬＡＮサービス情報が有効であると決定することができる。これにより、端末は、ＷＬＡＮアクセスネットワーク探索を開始することと決定することができる。
【０３０７】
端末は、ＷＬＡＮアクセスネットワーク探索のためにスキャニングを行う（Ｓ１３２２）。端末は、手動スキャニングを行うことができる。スキャニングを介して端末は、ＢＢＳ１のＡＰから伝送されるビーコンフレームを受信することにより、ＢＳＳ１を発見することができる。ビーコンフレームには、ＢＳＳ１のＢＳＳＩＤ及びＢＳＳ１内のＷＬＡＮ運営のためのシステム情報が含まれ得る。
【０３０８】
端末は、ＷＬＡＮサービス情報に基づいてＢＳＳ１が関心ＷＬＡＮに該当するか否かを判断する（Ｓ１３２３）。ＢＳＳ１のＢＳＳＩＤが関心ＷＬＡＮ情報の関心ＷＬＡＮ識別子リストに含まれているので、端末は、ＢＳＳ１が関心ＷＬＡＮに該当することと決定することができる。
【０３０９】
端末は、ＢＳＳ１内でＷＬＡＮ通信を行うために、結合／認証手順を行う（Ｓ１３２４）。端末は、ＢＳＳ１のＡＰと認証フレームを送受信し、結合要請フレーム、結合応答フレームを交換することにより、認証、結合手順を行うことができる。
【０３１０】
端末は、セル１及び／又はＢＳＳ１のＡＰを介してトラフィックを処理する（Ｓ１３２５）。端末は、既存のセル１内で基地局を介してトラフィックを処理することができる。ＡＰと結合された端末は、ＡＰとのフレーム交換を介して３ＧＰＰ上のトラフィックを処理することができる。端末が全体トラフィックのうち、ある程度のトラフィックをＷＬＡＮアクセスネットワークを介して処理するか否かは、セル１及びＢＳＳ１内でサービス環境によって適応的に決定されることができる。
【０３１１】
トラフィック処理中に端末は、セル１からセル２に移動する（Ｓ１３３０）。端末の移動は、ハンドオーバーまたはセル再選択を介して行われることができ、端末は、セル２にキャンプオンし、また、セル２と連結確立を行うことができる。
【０３１２】
セル２に移動した端末は、セル２上でＷＬＡＮサービス情報の有効性を判断する（Ｓ１３４１）。端末は、セル２の有効性情報により指示されるＷＬＡＮサービス情報が有効であるセルでないことを確認し、ＷＬＡＮサービス情報がそれ以上有効でないことと決定することができる。これにより、端末は、ＷＬＡＮアクセスネットワークを介したトラフィック処理がそれ以上許容されないことが分かる。また、端末は、ＷＬＡＮサービス情報を廃棄することができる。
【０３１３】
端末は、ＷＬＡＮアクセスネットワークとの結合を解除する（Ｓ１３４２）。端末は、結合解除フレーム（ｄｉａｓｓｏｃｉａｔｉｏｎ  ｆｒａｍｅ）をＢＳＳ１のＡＰに伝送することにより、ＡＰとの結合を解除することができる。これにより、端末は、全てのトラフィックを３ＧＰＰアクセスネットワークであるセル２を介して処理する（Ｓ１３４３）。
【０３１４】
図１４は、本発明の実施形態に係る通信方法のさらに他の実施形態を示す図である。
【０３１５】
図１４に示すように、端末は、ＬＴＥを基盤とした通信及びＷＬＡＮを基盤とした通信の両方を支援することと仮定し、ＬＴＥ及びＷＬＡＮ通信は、独立的になされることができることと仮定する。端末は、ＬＴＥ基盤のセル１にキャンプオンしているか、及び／又はセル１と連結を確立してサービスの提供を受けていることと仮定する。ＢＳＳ１は、セル１のカバレッジ内に展開されたことと仮定する。
【０３１６】
端末は、セル１からＷＬＡＮサービス情報を受信する（Ｓ１４１０）。ＷＬＡＮサービス情報は、セル１がブロードキャストするシステム情報に含まれて伝送されることができる。ＷＬＡＮサービス情報は、セル１からＲＲＣメッセージに含まれて端末に伝送されることができる。
【０３１７】
ＷＬＡＮサービス情報は、関心ＷＬＡＮ情報を含むことができ、関心ＷＬＡＮ情報は、ＢＳＳ１のＢＳＳＩＤを含む関心ＷＬＡＮの識別子リストを含むことができる。
【０３１８】
ＷＬＡＮサービス情報は、有効性情報を含むことができ、有効性情報は、ＷＬＡＮサービス情報が有効である持続時間（Ｔｖ）を指示することができる。端末は、ＷＬＡＮサービス情報の有効持続時間を指示する有効性情報を取得すれば、指示された持続時間として設定された有効タイマーを開始させることができる。
【０３１９】
端末は、受信したＷＬＡＮサービス情報の有効性を判断する（Ｓ１４２１）。端末は、ＷＬＡＮサービス情報の有効持続時間が満了していないため、ＷＬＡＮサービス情報が有効であると決定することができる。これにより、端末は、ＷＬＡＮアクセスネットワーク探索を開始することと決定することができる。
【０３２０】
端末は、ＷＬＡＮアクセスネットワーク探索のためにスキャニングを行う（Ｓ１４２２）。端末は、手動スキャニングを行うことができる。スキャニングを介して端末は、ＢＢＳ１のＡＰから伝送されるビーコンフレームを受信することにより、ＢＳＳ１を発見することができる。ビーコンフレームには、ＢＳＳ１のＢＳＳＩＤ及びＢＳＳ１内のＷＬＡＮ運営のためのシステム情報が含まれ得る。
【０３２１】
端末は、ＷＬＡＮサービス情報に基づいてＢＳＳ１が関心ＷＬＡＮに該当するか否かを判断する（Ｓ１４２３）。ＢＳＳ１のＢＳＳＩＤが関心ＷＬＡＮ情報の関心ＷＬＡＮ識別子リストに含まれているので、端末は、ＢＳＳ１が関心ＷＬＡＮに該当することと決定することができる。
【０３２２】
端末は、ＢＳＳ１内でＷＬＡＮ通信を行うために、結合／認証手順を行う（Ｓ１４２４）。端末は、ＢＳＳ１のＡＰと認証フレームを送受信し、結合要請フレーム、結合応答フレームを交換することにより、認証、結合手順を行うことができる。
【０３２３】
端末は、セル１及び／又はＢＳＳ１のＡＰを介してトラフィックを処理する（Ｓ１４２５）。端末は、既存のセル１内で基地局を介してトラフィックを処理することができる。ＡＰと結合された端末は、ＡＰとのフレーム交換を介して３ＧＰＰ上のトラフィックを処理することができる。端末が全体トラフィックのうち、ある程度のトラフィックをＷＬＡＮアクセスネットワークを介して処理するか否かは、セル１及びＢＳＳ１内でサービス環境によって適応的に決定されることができる。
【０３２４】
端末が３ＧＰＰ／ＷＬＡＮアクセスネットワークを介してトラフィックを処理する途中にＷＬＡＮサービス情報の有効持続時間が満了し得る（Ｓ１４３１）。すなわち、ＷＬＡＮサービス情報と関連した有効性タイマーが満了し得る。端末は、ＷＬＡＮサービス情報に対する有効性を再度判断し、ＷＬＡＮサービス情報がそれ以上有効でないことと決定することができる（Ｓ１４３２）。
【０３２５】
端末は、ＷＬＡＮアクセスネットワークとの結合を解除する（Ｓ１４４２）。端末は、結合解除フレーム（ｄｉａｓｓｏｃｉａｔｉｏｎ  ｆｒａｍｅ）をＢＳＳ１のＡＰに伝送することにより、ＡＰとの結合を解除することができる。これにより、端末は、全てのトラフィックを３ＧＰＰアクセスネットワークであるセル２を介して処理する（Ｓ１４４３）。
【０３２６】
３ＧＰＰアクセスネットワークは、端末が他のアクセスネットワークに接近して通信を行うことができるようにサービス情報を提供する。端末は、サービス情報を介して他のアクセスネットワークを探索して接近することができる。これにより、端末の不要な非−３ＧＰＰアクセスネットワークに探索及び接近試図が回避されて、端末の不要な電力消費が防止され得る。端末のトラフィックの一部及び／又は全部が他のアクセスネットワークを介して処理されることができ、トラフィック処理の効率性が向上し得るし、３ＧＰＰ基盤のアクセスネットワークの過負荷現象が緩和され得る。これは、当該トラフィックに対するＱｏＳが低下することを防止することができる。
【０３２７】
図１５は、本発明の実施形態が実現され得る無線装置を示すブロック図である。この装置は、図１０〜図１４の実施形態で端末及び／又はネットワーク（基地局または他のネットワークエンティティー）を実現することができる。
【０３２８】
図１５に示すように、無線装置１５００は、プロセッサ１５１０、メモリ１５２０、及びＲＦ部（ｒａｄｉｏ  ｆｒｅｑｕｅｎｃｙ  ｕｎｉｔ、１５３０）を備える。
【０３２９】
プロセッサ１５１０は、提案された機能、過程、及び／又は方法を実現する。プロセッサ１５１０は、本発明の実施形態に係る非−３ＧＰＰアクセスネットワークに対するサービス情報を受信するように設定される。プロセッサ１５１０は、非−３ＧＰＰアクセスネットワークサービス情報の有効性を判断するように設定される。プロセッサ１５１０は、非−３ＧＰＰアクセスネットワークを探索し、発見された非−３ＧＰＰアクセスネットワークエンティティーが関心アクセスネットワークであるか否かを決定するように設定される。プロセッサ１５１０は、３ＧＰＰ／非−３ＧＰＰアクセスネットワークを介してトラフィックを処理するように設定される。プロセッサ１５１０は、図１０〜図１４を参照して上述した本発明の実施形態を行うように設定されることができる。
【０３３０】
ＲＦ部１５３０は、プロセッサ１５１０と連結されて無線信号を送受信する。ＲＦ部１５３０は、３ＧＰＰ基盤のアクセスネットワークの通信及び非−３ＧＰＰ基盤のアクセスネットワークの通信のための１つ以上のＲＦ部を備えることができる。
【０３３１】
プロセッサ１５１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。図１５において単一プロセッサ１５１０は、各アクセスネットワーク通信のための全てのＲＦ部に対して制御管理するように図示されているが、本発明に係る無線装置はこれに限定されない。各アクセスネットワーク通信のためのそれぞれのＲＦ部は、それぞれのプロセッサと機能的に結合される実施形態も可能でありうる。
【０３３２】
メモリ１３２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、保存媒体、及び／又は他の保存装置を備えることができる。ＲＦ部１５３０は、無線信号を処理するためのベースバンド回路を備えることができる。実施形態がソフトウェアで実現されるとき、上述した技法は、上述した機能を果たすモジュール（過程、機能など）で実現されることができる。モジュールはメモリ１５２０に保存され、プロセッサ１５１０により実行されることができる。メモリ１５２０は、プロセッサ１５１０の内部または外部にありうるし、よく知られた様々な手段でプロセッサ１５１０と連結されることができる。
【０３３３】
上述した例示的なシステムにおいて、方法は、一連のステップまたはブロックとして順序図に基づいて説明されているが、本発明は、ステップ等の順序に限定されるものではなく、あるステップは、上述したところと異なるステップと異なる順序でまたは同時に発生することができる。また、当業者であれば、順序図に示したステップが排他的でなく、他のステップが含まれたり、順序図の１つまたはそれ以上のステップが本発明の範囲に影響を及ぼさずに削除され得ることが理解できるであろう。
【図１】
0006377790.tif 000005
【図２】
0006377790.tif 000006
【図３】
0006377790.tif 000007
【図４】
0006377790.tif 000008
【図５】
0006377790.tif 000009
【図６】
0006377790.tif 000010
【図７】
0006377790.tif 000011
【図８】
0006377790.tif 000012
【図９】
0006377790.tif 000013
【図１０】
0006377790.tif 000014
【図１１】
0006377790.tif 000015
【図１２】
0006377790.tif 000016
【図１３】
0006377790.tif 000017
【図１４】
0006377790.tif 000018
【図１５】
0006377790.tif 000019